(57)【要約】【課題】オーディオデータの著作権を保護しつつ、ユーザの利便性を損なわないようにする。【解決手段】オーディオデータのムーブ及びチェックアウト（ＣＯ）では、ディスク９０からデータ２００がムーブされ、次にムーブ先にＣＯ可能回数２０１が設定され、最後にムーブ先でのＣＯ可能回数２０１が１減じられると共に、ＣＯされたデータ２００’がディスク９０にコピーされる。この処理を、ユーザの単一の指示により、最後の状態が実現されるようにする。ユーザの指示により、データ２００がＰＣ１００にコピーされると共に、ＰＣ１００において、ＣＯ可能回数２０１が規定より１減じられた値に設定される（図４６Ｃ）。ムーブ及びＣＯに係るユーザの手間が省けると共に、ディスク９０にはＣＯされたデータが残され、ユーザの違和感がない。且つ、ＣＯ可能回数が正規の段階を踏まえた回数にされ、著作権が保護される。【選択図】　図５３
2004087077.tif 000002
【特許請求の範囲】
【請求項１】
ユーザの単一指示に応じて、
第１の装置に装着される記録媒体に記録されるコンテンツデータを第２の装置内の記憶手段にコピーし、
上記記憶手段にコピーされた上記コンテンツデータに対応する制御情報内のチェックアウト可能回数に規定回数から１を減じた回数を設定することを特徴とする記録方法。
【請求項２】
請求項１に記載の記録方法において、
上記第１の装置に装着される記録媒体に記録される上記コンテンツデータを上記第２の装置内の記憶手段にコピーすると共に、上記第１の装置が、上記記録媒体に記録される上記コンテンツデータを管理する管理データを無効化し、
上記第２の装置が、上記制御情報内の著作権管理情報内の上記コンテンツデータのチェックアウト可能回数を規定回数に設定し、
上記第２の装置が、上記制御情報内の上記著作権管理情報内の上記コンテンツデータのチェックアウト可能回数を、上記規定回数から１を減算した回数に書き換え、
上記第１の装置が、上記無効化された上記コンテンツデータを管理する管理データを有効にすることを特徴とする記録方法。
【請求項３】
請求項２に記載の記録方法において、
上記第１の装置に装着される記録媒体に記録される上記コンテンツデータ、及び当該コンテンツデータの制御情報を上記第２の装置内の記憶手段にコピーすると共に、上記第１の装置が、上記記録媒体に記録される上記コンテンツデータを管理する管理データを無効化し、
上記第２の装置が、上記記憶手段にコピーされた上記制御情報内の著作権管理情報内の上記コンテンツデータのチェックアウト可能回数を規定回数に設定し、
上記第２の装置が、上記制御情報から上記コンテンツデータのコンテンツＩＤを取得すると共に上記記憶手段にチェックイン可能なコンテンツデータを示すコンテンツＩＤとして記録することを特徴とする記録方法。
【請求項４】
ユーザの単一指示に応じて、
自身に装着される記録媒体に記録される上記コンテンツデータを他の装置内に転送すると共に、上記記録媒体に記録される上記コンテンツデータを管理する管理データを無効化する無効化手段と、
上記他の装置が上記コンテンツデータに対応する制御情報内のチェックアウト可能回数を規定回数から１を減算した回数に書き換えたとき、上記無効化された上記管理データを有効にする有効化手段と
を有することを特徴とする記録媒体のドライブ装置。
【請求項５】
請求項４に記載の記録媒体のドライブ装置において、
ユーザの単一指示に応じて、
上記無効化手段は、上記記録媒体に記録される上記コンテンツデータ、及び当該コンテンツデータの制御情報を上記他の装置内の記憶手段に転送すると共に、上記記録媒体に記録される上記管理データを無効化し、
上記有効化手段は、上記他の装置が上記制御情報内のチェックアウト可能回数を規定回数から１を減算した回数に書き換えたとき、上記無効化された上記管理データを有効にする
ことを特徴とする記録媒体のドライブ装置。
【請求項６】
ユーザの単一指示に応じて、
他の装置に装着される記録媒体に記録されるコンテンツデータを自身の記憶手段に記録する記録手段と、
上記記憶手段に記録された上記コンテンツデータに対応する制御情報内のチェックアウト可能回数に規定回数から１を減じた回数を設定する設定手段と
を有することを特徴とする記録装置。
【請求項７】
請求項６に記載の記録装置において、
ユーザの単一指示に応じて、
上記設定手段は、上記制御情報内の著作権管理情報内の上記コンテンツデータのチェックアウト可能回数を規定回数に設定し、上記制御情報内の上記著作権管理情報内の上記コンテンツデータのチェックアウト可能回数を、上記規定回数から１を減算した回数に書き換える
ことを特徴とする記録装置。
【請求項８】
請求項７に記載の記録装置において、
更に、上記制御情報から上記コンテンツデータのコンテンツＩＤを取得すると共に上記記憶手段にチェックイン可能なコンテンツデータを示すコンテンツＩＤとして記録するコンテンツＩＤ記録手段を備え、
ユーザの単一指示に応じて、
上記記録手段は、上記他の装置に装着される記録媒体に記録される上記コンテンツデータ、及び当該コンテンツデータの制御情報を上記記憶手段に記録し、
上記設定手段は、上記記憶手段に記録された上記制御情報内の著作権管理情報内の上記コンテンツデータのチェックアウト可能回数を規定回数に設定し、
上記コンテンツＩＤ記録手段は、上記制御情報から上記コンテンツＩＤを取得すると共に上記記憶手段に記録し、
上記設定手段は、上記制御情報内の上記チェックアウト可能回数を、上記規定回数から１を減算した回数に書き換える
ことを特徴とする記録装置。
【発明の詳細な説明】
【０００１】
【発明の属する技術分野】
この発明は、従来のＭＤシステムで使用可能な光磁気ディスクを拡張し、従来のＭＤシステムとの互換性を図れるようにした記録方法、記録媒体のドライブ装置、および記録装置に関する。
【０００２】
【従来の技術】
ディジタルオーディオデータを記録再生するための記録媒体として、カートリッジに収納された直径６４ｍｍの光磁気ディスクであるミニディスク（ＭＤ）が広く普及している。
【０００３】
ＭＤシステムでは、オーディオデータの圧縮方式として、ＡＴＲＡＣ（Ａｄａｐｔｉｖｅ　ＴＲａｎｓｆｏｒｍ　Ａｃｏｕｓｔｉｃ　Ｃｏｄｉｎｇ）が用いられている。ＡＴＲＡＣは、所定の時間窓で取り込まれたオーディオデータを、ＭＤＣＴ（Ｍｏｄｉｆｉｅｄ　Ｄｉｓｃｒｅｔｅ　Ｃｏｓｉｎｅ　Ｔｒａｎｓｆｏｒｍ　）を用いて圧縮符号化するものである。ＡＴＲＡＣにより、音楽データは１／５〜１／１０に圧縮される。
【０００４】
また、エラー訂正方式として、ＡＣＩＲＣ（Ａｄｖａｎｃｅｄ　Ｃｒｏｓｓ　Ｉｎｔｅｒｌｅａｖｅ　Ｒｅｅｄ−Ｓｏｌｏｍｏｎ　Ｃｏｄｅ）と呼ばれる畳み込み符号が用いられ、変調方式には、ＥＦＭが用いられている。ＡＣＩＲＣは、Ｃ１系列（垂直方向）とななめ方向（Ｃ２系列）とに二重にエラー訂正符号化を行う畳み込み符号であり、オーディオデータのようなシーケンシャルなデータに対しては、強力なエラー訂正処理が行える。しかしながら、畳み込み符号の場合には、データの書き換え時に、リンキング用のセクタが必要になってくる。ＡＣＩＲＣ方式やＥＦＭは、基本的には、従来のコンパクトディスク（ＣＤ）と同様なものが採用されている。
【０００５】
また、音楽データの管理には、Ｕ−ＴＯＣ（ユーザＴＯＣ（Ｔａｂｌｅ　Ｏｆ　Ｃｏｎｔｅｎｔｓ））が用いられている。すなわち、ディスクのレコーダブル領域の内周には、Ｕ−ＴＯＣと呼ばれる領域が設けられる。Ｕ−ＴＯＣは、現行のＭＤシステムにおいて、トラック（オーディオトラック／データトラック）の曲順、記録、消去などに応じて書き換えられる管理情報であり、各トラック（トラックを構成するパーツ）について、開始位置、終了位置や、モードを管理するものである。
【０００６】
【発明が解決しようとする課題】
ＭＤシステムのディスクは、小型で安価であり、オーディオデータの記録再生用としては優れた特性を有している。このため、ＭＤシステムは、これまで、広く普及してきている。
【０００７】
本願発明者の認識によれば、ＭＤシステムは、市場における要求を完全に満たしてはいない。なぜなら、ＭＤシステムは、パーソナルコンピュータのような汎用コンピュータとの互換性を有していないからである。更に、従来のＭＤシステムは、パーソナルコンピュータにおいて使用されているＦＡＴ（Ｆｉｌｅ　ＡｌｌｏｃａｔｉｏｎＴａｂｌｅ）ベースのファイルシステムとは異なるファイル管理方法を用いている。
【０００８】
すなわち、パーソナルコンピュータやネットワークが一般的に利用されるにつれて、オーディオデータがネットワークに接続されたパーソナルコンピュータによって益々盛んに配信されるようになってきている。また、パーソナルコンピュータをオーディオサーバとして使い、ユーザが気に入った音楽ファイルを携帯型の再生機にダウンロードして、音楽再生を行うようなことが行われている。本願発明者の認識によれば、従来のＭＤシステムでは、パーソナルコンピュータとの互換性が十分でない。そこで、例えばＦＡＴシステムなどの汎用の管理システムを導入して、パーソナルコンピュータとの互換性を高めることが望まれる。
【０００９】
文献「Ｈｏｗ　Ｃｏｍｐｕｔｅｒｓ　Ｗｏｒｋ，　Ｍｉｌｌｅｎｎｉｕｍ　Ｅｄｉｔｉｏｎ」（Ｗｈｉｔｅ，　Ｒ．著、１９９９年、Ｑｕｅ　Ｃｏｒｐｏｒａｔｉｏｎ発行）の１４６頁及び１５８頁に説明されているように、ＦＡＴは、セクタ０といった特定のディスクセクタ上に、ディスクドライブによって作成される。本明細書中、「ＦＡＴ」又は「ＦＡＴシステム」という用語は、種々のパーソナルコンピュータ（以下、「ＰＣ」と略称する）ベースのファイルシステムを指すのに総称的に用いられ、ＤＯＳ（Ｄｉｓｋ　Ｏｐｅｒａｔｉｎｇ　Ｓｙｓｔｅｍ）で用いられる特定のＦＡＴベースのファイルシステム、Ｗｉｎｄｏｗｓ（登録商標）９５／９８で使用されるＶＦＡＴ（Ｖｉｒｔｕａｌ　ＦＡＴ）、Ｗｉｎｄｏｗｓ９８／ＭＥ／２０００で用いられるＦＡＴ３２、及びＮＴＦＳ（ＮＴ　Ｆｉｌｅ　Ｓｙｓｔｅｍ（Ｎｅｗ　Ｔｅｃｈｎｏｌｏｇｙ　Ｆｉｌｅ　Ｓｙｓｔｅｍ　とも呼ばれる））を含むことを意図するものである。ＮＴＦＳは、ＷｉｎｄｏｗｓＮＴ（登録商標）オペレーティングシステム、又は（オプションにより）Ｗｉｎｄｏｗｓ２０００で使用されるファイルシステムであり、ディスクに対する読み出し／書き込みの際に、ファイルの記録及び取り出しを行う。ＮＴＦＳは、ＷｉｎｄｏｗｓＮＴにおいて、Ｗｉｎｄｏｗｓ９５のファイルアロケーションテーブル（ＦＡＴ）、及びＯＳ／２のハイパフォーマンス・ファイルシステム（ＨＰＦＳ）に相当するものである。
【００１０】
また、パーソナルコンピュータとの互換性が高くなると、著作物が不法にコピーされる危険性が増大し、そのために、オーディオの著作物を不法コピーから守る、より高度な技術が要求される。こうした著作権侵害に対する保護を強化するための一つの技術は、オーディオの著作物を暗号化して記録することである。また、ディスクに記録される音楽タイトルとアーティストネームは、現在よりも有効な方法で管理されることが望ましい。
【００１１】
更に、現行のＭＤシステムのディスクは、記録容量が１６０ＭＢ程度であるが、本願発明者は、この容量が、データの記録に関してユーザの要求を満たすとは限らないと考えている。そこで、現行のＭＤとの互換性を確保しつつ、記録容量を増大させることが望まれている。
【００１２】
ところで、著作権保護のために、オーディオデータのコピーに対して世代制限を設ける方式が知られている。また、この方式の拡張として、回数制限を設けてオーディオデータのコピーを許可する方式も提案されている。この、回数制限を設けてコピーを許可する方式では、ディスクに記録されたオーディオデータを例えばパーソナルコンピュータに移動させる場合、パーソナルコンピュータ上にコピーされたオーディオデータに対して複製回数の制限が設けられる一方で、元のディスク上の当該オーディオデータが削除される。
【００１３】
このように、オーディオデータの移動後に元のディスク上から当該オーディオデータが削除されてしまうのは、感覚として馴染めないものであるという問題点があった。
【００１４】
また、実際には、ユーザにおいては、元のディスク上のオーディオデータを引き続き利用したいであろうと思われる。そのためには、コンピュータ上にコピーされたオーディオデータを、再び元のディスク上に書き戻さなくてはならず、手間がかかるという問題点があった。
【００１５】
したがって、この発明の目的は、上記問題点及び関連分野の他の欠陥を解決するために、ＦＡＴシステムをＭＤ媒体について統合することにより、オーディオデータを効果的に管理する記録方法、記録媒体のドライブ装置、および記録装置を提供することにある。
【００１６】
更に、この発明の目的は、オーディオデータの著作権を保護しつつも、ユーザの利便性を損なわないような記録方法、記録媒体のドライブ装置、および記録装置および記録装置を提供することにある。
【００１７】
【課題を解決するための手段】
この発明は、上述した課題を解決するために、ユーザの単一指示に応じて、第１の装置に装着される記録媒体に記録されるコンテンツデータを第２の装置内の記憶手段にコピーし、記憶手段にコピーされたコンテンツデータに対応する制御情報内のチェックアウト可能回数に規定回数から１を減じた回数を設定することを特徴とする記録方法である。
【００１８】
また、この発明は、ユーザの単一指示に応じて、自身に装着される記録媒体に記録されるコンテンツデータを他の装置内に転送すると共に、記録媒体に記録されるコンテンツデータを管理する管理データを無効化する無効化手段と、他の装置がコンテンツデータに対応する制御情報内のチェックアウト可能回数を規定回数から１を減算した回数に書き換えたとき、無効化された管理データを有効にする有効化手段とを有することを特徴とする記録媒体のドライブ装置である。
【００１９】
また、この発明は、ユーザの単一指示に応じて、他の装置に装着される記録媒体に記録されるコンテンツデータを自身の記憶手段に記録する記録手段と、記憶手段に記録されたコンテンツデータに対応する制御情報内のチェックアウト可能回数に規定回数から１を減じた回数を設定する設定手段とを有することを特徴とする記録装置である。
【００２０】
上述したように、第１の発明は、ユーザの単一指示に応じて、第１の装置に装着される記録媒体に記録されるコンテンツデータを第２の装置内の記憶手段にコピーし、記憶手段にコピーされたコンテンツデータに対応する制御情報内のチェックアウト可能回数に規定回数から１を減じた回数を設定するようにしているため、ユーザが単一の指示を与えるだけで、コンテンツデータの第１の装置に装着される記録媒体から第２の装置内の記憶装置への複写と、コンテンツデータの複写回数を考慮した制御情報内のチェックアウト回数との設定を行うことができる。
【００２１】
また、第２の発明は、ユーザの単一指示に応じて、自身に装着される記録媒体に記録されるコンテンツデータを他の装置内に転送すると共に、記録媒体に記録されるコンテンツデータを管理する管理データを無効化する無効化手段と、他の装置がコンテンツデータに対応する制御情報内のチェックアウト可能回数を規定回数から１を減算した回数に書き換えたとき、無効化された管理データを有効にする有効化手段とを有するため、ユーザが単一の指示を与えるだけで、コンテンツデータのチェックアウト回数の制御を行うことができる。
【００２２】
また、第３の発明は、ユーザの単一指示に応じて、他の装置に装着される記録媒体に記録されるコンテンツデータを自身の記憶手段に記録する記録手段と、記憶手段に記録されたコンテンツデータに対応する制御情報内のチェックアウト可能回数に規定回数から１を減じた回数を設定する設定手段とを有するため、他の装置に装着される記録媒体から自身に装着されるの記録媒体へのコンテンツデータの記録と、それに伴うチェックアウト回数の制御を行うことができる。
【００２３】
【発明の実施の形態】
以下、この発明の実施の一形態について、下記の１０のセクションに従い説明する。
１．記録方式の概要
２．ディスクについて
３．信号フォーマット
４．記録再生装置の構成
５．次世代ＭＤ１および次世代ＭＤ２によるディスクの初期化処理について
６．音楽データの第１の管理方式について
７．音楽データの管理方式の第２の例
８．パーソナルコンピュータとの接続時の動作について
９．ディスク上に記録されたオーディオデータのコピー制限について
１０．次世代ＭＤ１システムと現行ＭＤシステムとの共存について
【００２４】
１．記録方式の概要
この発明による記録再生装置では、記録媒体として光磁気ディスクが使用される。フォームファクタのような、ディスクの物理的属性は、いわゆるＭＤ（Ｍｉｎｉ−Ｄｉｓｃ）システムによって使用されるディスクと実質的に同じである。しかし、ディスク上に記録されたデータと、そのデータがどのようにディスク上に配置されているかについては、従来のＭＤと異なる。
【００２５】
より具体的には、この発明による装置は、オーディオデータのようなコンテンツデータを記録再生するために、ファイル管理システムとしてＦＡＴ（Ｆｉｌｅ　Ａｌｌｏｃａｔｉｏｎ　Ｔａｂｌｅ）システムを使用している。これによって、当該装置は、現行のパーソナルコンピュータに対して互換性を保証することができる。
【００２６】
ここでは、「ＦＡＴ」又は「ＦＡＴシステム」という用語は、前述したように、種々のＰＣベースのファイルシステムを指すのに総称的に用いられ、ＤＯＳ（Ｄｉｓｋ　Ｏｐｅｒａｔｉｎｇ　Ｓｙｓｔｅｍ）で用いられる特定のＦＡＴベースのファイルシステム、Ｗｉｎｄｏｗｓ９５／９８で使用されるＶＦＡＴ（Ｖｉｒｔｕａｌ　ＦＡＴ）、Ｗｉｎｄｏｗｓ９８／ＭＥ／２０００で用いられるＦＡＴ３２、及びＮＴＦＳ（ＮＴ　Ｆｉｌｅ　Ｓｙｓｔｅｍ（Ｎｅｗ　Ｔｅｃｈｎｏｌｏｇｙ　Ｆｉｌｅ　Ｓｙｓｔｅｍ　とも呼ばれる））のどれかを示すことを意図したものではない。ＮＴＦＳは、ＷｉｎｄｏｗｓＮＴオペレーティングシステム、又は（オプションにより）Ｗｉｎｄｏｗｓ２０００で使用されるファイルシステムであり、ディスクに対する読み出し／書き込みの際に、ファイルの記録及び取り出しを行う。
【００２７】
また、この発明では、現行のＭＤシステムに対して、エラー訂正方式や変調方式を改善することにより、データの記録容量の増大を図るとともに、データの信頼性を高めるようにしている。更に、この発明では、コンテンツデータを暗号化するとともに、不正コピーを防止して、コンテンツデータの著作権の保護が図れるようにしている。
【００２８】
記録再生のフォーマットとしては、現行のＭＤシステムで用いられているディスクと全く同様のディスク（すなわち、物理媒体）を用いるようにした次世代ＭＤ１の仕様と、現行のＭＤシステムで用いられているディスクとフォームファクター及び外形は同様であるが、磁気超解像度（ＭＳＲ）技術を使うことにより、線記録方向の記録密度を上げて、記録容量をより増大した次世代ＭＤ２の仕様とがあり、これらが本願発明者により開発されている。
【００２９】
現行のＭＤシステムでは、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
【００３０】
次世代ＭＤ１の仕様でも次世代ＭＤ２の仕様でも、これらディスクの形状やカートリッジの形状は、全て同じである。リードイン領域の開始位置についても、次世代ＭＤ１の仕様および次世代ＭＤ２の仕様のディスクも、２９ｍｍから始まり、現行のＭＤシステムで使用されているディスクと同様である。
【００３１】
トラックピッチについては、次世代ＭＤ２では、１．２μｍから１．３μｍ（例えば１．２５μｍ）とすることが検討されている。これに対して、現行のＭＤシステムのディスクを流用する次世代ＭＤ１では、トラックピッチは１．６μｍとされている。ビット長は、次世代ＭＤ１が０．４４μｍ／ビットとされ、次世代ＭＤ２が０．１６μｍ／ビットとされる。冗長度は、次世代ＭＤ１および次世代ＭＤ２ともに、２０．５０％である。
【００３２】
次世代ＭＤ２の仕様のディスクでは、磁気超解像技術を使うことにより、線密度方向の記録容量を向上するようにしている。磁気超解像技術は、所定の温度になると、切断層が磁気的にニュートラルな状態になり、再生層に転写されていた磁壁が移動することで、微少なマークがビームスポットの中で大きく見えるようになることを利用したものである。
【００３３】
すなわち、次世代ＭＤ２の仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００３４】
また、次世代ＭＤ２の仕様のディスクでは、デトラックマージン、ランドからのクロストーク、ウォブル信号のクロストーク、フォーカスの漏れを改善するために、グルーブを従来のＭＤディスクより深くし、グルーブの傾斜を鋭くしている。次世代ＭＤ２の仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００３５】
また、光学的の仕様については、次世代ＭＤ１の仕様では、レーザ波長λが７８０ｎｍとされ、光学ヘッドの対物レンズの開口率ＮＡが０．４５とされている。次世代ＭＤ２の仕様も同様に、レーザ波長λが７８０ｎｍとされ、光学ヘッドの開口率ＮＡが０．４５とされている。
【００３６】
記録方式としては、次世代ＭＤ１の仕様も次世代ＭＤ２の仕様も、グルーブ記録方式が採用されている。つまり、グルーブ（ディスクの盤面上の溝）をトラックとして記録再生に用いるようにしている。
【００３７】
エラー訂正符号化方式としては、現行のＭＤシステムでは、ＡＣＩＲＣ（Ａｄｖａｎｃｅｄ　Ｃｒｏｓｓ　Ｉｎｔｅｒｌｅａｖｅ　Ｒｅｅｄ−Ｓｏｌｏｍｏｎ　Ｃｏｄｅ）　による畳み込み符号が用いられていたが、次世代ＭＤ１および次世代ＭＤ２の仕様では、ＲＳ−ＬＤＣ（Ｒｅｅｄ　Ｓｏｌｏｍｏｎ−Ｌｏｎｇ　Ｄｉｓｔａｎｃｅ　Ｃｏｄｅ）とＢＩＳ（Ｂｕｒｓｔ　Ｉｎｄｉｃａｔｏｒ　Ｓｕｂｃｏｄｅ）とを組み合わせたブロック完結型の符号が用いられている。ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００３８】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Ａｄｄｒｅｓｓ　ｉｎ　Ｐｒｅｇｒｏｏｖｅ）と呼ばれている。現行のＭＤシステムと、次世代ＭＤ１および次世代ＭＤ２の仕様では、線密度が異なると共に、現行のＭＤシステムでは、エラー訂正符号として、ＡＣＩＲＣと呼ばれる畳み込み符号が用いられているのに対して、次世代ＭＤ１および次世代ＭＤ２の仕様では、ＬＤＣとＢＩＳとを組み合わせたブロック完結型の符号が用いられているため、冗長度が異なり、ＡＤＩＰとデータとの相対的な位置関係が変わっている。そこで、現行のＭＤシステムと同じ物理構造のディスクを流用する次世代ＭＤ１の仕様では、ＡＤＩＰ信号の扱いを、現行のＭＤシステムのときとは異なるようにしている。また、次世代ＭＤ２の仕様では、次世代ＭＤ２の仕様により合致するように、ＡＤＩＰ信号の仕様に変更を加えている。
【００３９】
変調方式については、現行のＭＤシステムでは、ＥＦＭ（８　ｔｏ　１４　Ｍｏｄｕｌａｔｉｏｎ）が用いられているのに対して、次世代ＭＤ１および次世代ＭＤ２の仕様では、ＲＬＬ（１，７）ＰＰ（ＲＬＬ；Ｒｕｎ　Ｌｅｎｇｔｈ　Ｌｉｍｉｔｅｄ　，ＰＰ；Ｐａｒｉｔｙ　Ｐｒｅｓｅｒｖｅ／Ｐｒｏｈｉｂｉｔ　ｒｍｔｒ（ｒｅｐｅａｔｅｄ　ｍｉｎｉｍｕｍ　ｔｒａｎｓｉｔｉｏｎ　ｒｕｎｌｅｎｇｔｈ））（以下、１−７ｐｐ変調と称する）が採用されている。また、データの検出方式は、次世代ＭＤ１ではパーシャルレスポンスＰＲ（１，２，１）ＭＬを用い、次世代ＭＤ２ではパーシャルレスポンスＰＲ（１，−１）ＭＬを用いたビタビ復号方式とされている。
【００４０】
また、ディスク駆動方式はＣＬＶ（Ｃｏｎｓｔａｎｔ　Ｌｉｎｅａｒ　Ｖｅｒｏｃｉｔｙ）またはＺＣＡＶ（Ｚｏｎｅ　Ｃｏｎｓｔａｎｔ　Ａｎｇｕｌａｒ　Ｖｅｒｏｃｉｔｙ）で、その標準線速度は、次世代ＭＤ１の仕様では、２．４ｍ／秒とされ、次世代ＭＤ２の仕様では、１．９８ｍ／秒とされる。なお、現行のＭＤシステムの仕様では、６０分ディスクで１．２ｍ／秒、７４分ディスクで１．４ｍ／秒とされている。
【００４１】
現行のＭＤシステムで用いられるディスクをそのまま流用する次世代ＭＤ１の仕様では、ディスク１枚当たりのデータ総記録容量は約３００Ｍバイト（８０分ディスクを用いた場合）になる。変調方式がＥＦＭから１−７ｐｐ変調とされることで、ウィンドウマージンが０．５から０．６６６となり、この点で、１．３３倍の高密度化が実現できる。また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００４２】
磁気超解像度を利用した次世代ＭＤ２の仕様のディスクでは、更に線密度方向の高密度化が図られ、データ総記録容量は、約１Ｇバイトになる。
【００４３】
データレートは標準線速度にて、次世代ＭＤ１では４．４Ｍビット／秒であり、次世代ＭＤ２では、９．８Ｍビット／秒である。
【００４４】
２．ディスクについて
図１は、次世代ＭＤ１のディスクの構成を示すものである。次世代ＭＤ１のディスクは、現行のＭＤシステムのディスクをそのまま流用したものである。すなわち、ディスクは、透明のポリカーボネート基板上に、誘電体膜と、磁性膜と、誘電体膜と、反射膜とを積層して構成される。更に、その上に、保護膜が積層される。
【００４５】
次世代ＭＤ１のディスクでは、図１に示すように、ディスクの内周（ディスクのレコーダブル領域の最も内側の周（「最も内側」は、ディスクの中心から放射状に延びる方向において最も内側を示す）のリードイン領域に、Ｐ−ＴＯＣ（プリマスタードＴＯＣ（Ｔａｂｌｅ　Ｏｆ　Ｃｏｎｔｅｎｔｓ））領域が設けられる。ここは、物理的な構造としては、プリマスタード領域となる。すなわち、エンボスピットにより、コントロール情報等が、例えば、Ｐ−ＴＯＣ情報として記録されている。
【００４６】
Ｐ−ＴＯＣ領域が設けられるリードイン領域の外周（ディスクの中心から放射状に延びる方向において外側の周）は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザＴＯＣ）が設けられる。
【００４７】
Ｕ−ＴＯＣは、現行のＭＤシステムでディスクの管理情報を記録するために用いられているＵ−ＴＯＣと同様の構成のものである。Ｕ−ＴＯＣは、現行のＭＤシステムにおいて、トラック（オーディオトラック／データトラック）の曲順、記録、消去などに応じて書き換えられる管理情報であり、各トラック（トラックを構成するパーツ）について、開始位置、終了位置や、モードを管理するものである。
【００４８】
Ｕ−ＴＯＣの外周には、アラートトラックが設けられる。このトラックには、ディスクが現行のＭＤシステムにロードされた場合に、ＭＤプレーヤによって起動（出力）される警告音が記録される。この警告音は、そのディスクが次世代ＭＤ１方式で使用され、現行のシステムでは再生できないことを示すものである。レコーダブル領域の残りの部分（詳しくは、図２に示されている）は、リードアウト領域まで、放射状に延びる方向に広がっている。
【００４９】
図２は、図１に示す次世代ＭＤ１の仕様のディスクのレコーダブル領域の構成を示すものである。図２に示すように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。ＥＦＭ変調でデータが変調されて記録される領域の外周に、次世代ＭＤ１方式の１−７ｐｐ変調でデータが変調されて記録される領域が設けられる。ＥＦＭでデータが変調されて記録される領域と、１−７ｐｐ変調でデータが変調されて記録される領域との間は所定の距離の間だけ離間されており、「ガードバンド」が設けられている。このようなガードバンドが設けられるため、現行のＭＤプレーヤに次世代ＭＤ１の仕様のディスクが装着されて、不具合が発生されることが防止される。
【００５０】
１−７ｐｐ変調でデータが変調されて記録される領域の先頭（内周側）には、ＤＤＴ（Ｄｉｓｃ　Ｄｅｓｃｒｉｐｔｉｏｎ　Ｔａｂｌｅ）領域と、リザーブトラックが設けられる。ＤＤＴ領域には、物理的に欠陥のある領域に対する交替処理をするために設けられる。ＤＤＴ領域には、さらに、ユニークＩＤ（ＵＩＤ）が記録される。ＵＩＤは、記録媒体毎に固有の識別コードであって、例えば所定に発生された乱数に基づく。リザーブトラックは、コンテンツの保護を図るための情報が格納される。
【００５１】
更に、１−７ｐｐ変調でデータが変調されて記録される領域には、ＦＡＴ（Ｆｉｌｅ　Ａｌｌｏｃａｔｉｏｎ　Ｔａｂｌｅ）領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。なお、ＦＡＴの用語は、前述したように、ＰＣオペレーティングシステムで利用される、様々な異なるファイル管理方法を示すように総括的に用いられている。
【００５２】
次世代ＭＤ１の仕様のディスクにおいては、Ｕ−ＴＯＣ領域には、アラートトラックの開始位置の情報と、１−７ｐｐ変調でデータが変調されて記録される領域の開始位置の情報が記録される。
【００５３】
現行のＭＤシステムのプレーヤに、次世代ＭＤ１のディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、このディスクが次世代ＭＤ１方式で使用され、現行のＭＤシステムのプレーヤでは再生できないことを示す警告音が記録されている。この警告音から、このディスクが現行のＭＤシステムのプレーヤでは使用できないことが知らされる。
【００５４】
なお、警告音としては、「このプレーヤでは使用できません」というような言語による警告とすることができる。勿論、単純なビープ音、トーン、又はその他の警告信号とするようにしても良い。
【００５５】
次世代ＭＤ１に準拠したプレーヤに、次世代ＭＤ１のディスクが装着されると、Ｕ−ＴＯＣ領域が読み取られ、Ｕ−ＴＯＣの情報から、１−７ｐｐ変調でデータが記録された領域の開始位置が分かり、ＤＤＴ、リザーブトラック、ＦＡＴ領域が読み取られる。１−７ｐｐ変調のデータの領域では、Ｕ−ＴＯＣを使わずに、ＦＡＴシステムを使ってデータの管理が行われる。
【００５６】
図３は、次世代ＭＤ２のディスクを示すものである。ディスクは、透明のポリカーボネート基板上に、誘電体膜と、磁性膜と、誘電体膜と、反射膜とを積層して構成される。更に、その上に、保護膜が積層される。
【００５７】
次世代ＭＤ２のディスクでは、図３Ａに示すように、ディスクの内周（ディスクの中心から放射状に延びる方向において内側の周）のリードイン領域には、ＡＤＩＰ信号により、コントロール情報が記録されている。次世代ＭＤ２のディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調で、データが変調されて記録される。
【００５８】
次世代ＭＤ２の仕様のディスクでは、図３Ｂに示すように、磁性膜として、情報を記録する記録層となる磁性層１０１と、切断層１０２と、情報再生用の磁性層１０３とが積層されたものが用いられる。切断層１０２は、交換結合力調整用層となる。所定の温度になると、切断層１０２が磁気的にニュートラルな状態になり、記録層１０１に転写されていた磁壁が再生用の磁性層１０３に転写される。これにより、記録層１０１では微少なマークが再生用の磁性層１０３のビームスポットの中に拡大されて見えるようになる。
【００５９】
次世代ＭＤ１であるか次世代ＭＤ２であるかは、例えば、リードインの情報から判断できる。すなわち、リードインにエンボスピットによるＰ−ＴＯＣが検出されれば、現行のＭＤまたは次世代ＭＤ１のディスクであると判断できる。リードインにＡＤＩＰ信号によるコントロール情報が検出され、エンボスピットによるＰ−ＴＯＣが検出されなければ、次世代ＭＤ２であると判断できる。なお、次世代ＭＤ１と次世代ＭＤ２との判別は、このような方法に限定されるものではない。オントラックのときとオフトラックのときとのトラッキングエラー信号の位相から判別することも可能である。勿論、ディスク識別用の検出孔等を設けるようにしても良い。
【００６０】
図４は、次世代ＭＤ２の仕様のディスクのレコーダブル領域の構成を示すものである。図４に示すように、レコーダブル領域では全て１−７ｐｐ変調でデータが変調されて記録され、１−７ｐｐ変調でデータが変調されて記録される領域の先頭（内周側）には、ＤＤＴ領域と、リザーブトラックが設けられる。ＤＤＴ領域は、物理的に欠陥のある領域に対する交替領域を管理するための交替領域管理データを記録するために設けられる。
【００６１】
具体的には、ＤＤＴ領域は、物理的に欠陥のある上記領域に替わるレコーダブル領域を含む置き換え領域を管理する管理テーブルを記録する。この管理テーブルは、欠陥があると判定された論理クラスタを記録し、その欠陥のある論理クラスタに替わるものとして割り当てられた置き換え領域内の論理クラスタ（１つ又は複数）も記録する。さらに、ＤＤＴ領域には、上述したＵＩＤが記録される。リザーブトラックは、コンテンツの保護を図るための情報が格納される。
【００６２】
更に、１−７ｐｐ変調でデータが変調されて記録される領域には、ＦＡＴ領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００６３】
次世代ＭＤ２のディスクにおいては、Ｕ−ＴＯＣ領域は設けられていない。次世代ＭＤ２に準拠したプレーヤに、次世代ＭＤ２のディスクが装着されると、所定の位置にあるＤＤＴ、リザーブトラック、ＦＡＴ領域が読み取られ、ＦＡＴシステムを使ってデータの管理が行われる。
【００６４】
なお、次世代ＭＤ１および次世代ＭＤ２のディスクでは、時間のかかる初期化作業は不要とされる。すなわち、次世代ＭＤ１および次世代ＭＤ２の仕様のディスクでは、ＤＤＴやリザーブトラック、ＦＡＴテーブル等の最低限のテーブルの作成以外に、初期化作業は不要で、未使用のディスクからレコーダブル領域の記録再生を直接行うことが可能である。
【００６５】
３．信号フォーマット
次に、次世代ＭＤ１および次世代ＭＤ２のシステムの信号フォーマットについて説明する。現行のＭＤシステムでは、エラー訂正方式として、畳み込み符号であるＡＣＩＲＣが用いられており、サブコードブロックのデータ量に対応する２３５２バイトからなるセクタを記録再生のアクセス単位としている。畳み込み符号の場合には、エラー訂正符号化系列が複数のセクタに跨るため、データを書き換える際には、隣接するセクタ間に、リンキングセクタを用意する必要がある。アドレス方式としては、シングルスパイラルによるグルーブを形成したうえで、このグルーブの両側に対してアドレス情報としてのウォブルを形成したウォブルドグルーブ方式であるＡＤＩＰが使われている。現行のＭＤシステムでは、２３５２バイトからなるセクタをアクセスするのに最適なように、ＡＤＩＰ信号が配列されている。
【００６６】
これに対して、次世代ＭＤ１および次世代ＭＤ２のシステムの仕様では、ＬＤＣとＢＩＳとを組み合わせたブロック完結型の符号が用いられ、６４Ｋバイトを記録再生のアクセス単位としている。ブロック完結型の符号では、リンキングセクタは不要である。そこで、現行のＭＤシステムのディスクを流用する次世代ＭＤ１のシステムの仕様では、ＡＤＩＰ信号の扱いを、新たな記録方式に対応するように、変更するようにしている。また、次世代ＭＤ２のシステムの仕様では、次世代ＭＤ２の仕様により合致するように、ＡＤＩＰ信号の仕様に変更を加えている。
【００６７】
図５、図６、および図７は、次世代ＭＤ１および次世代ＭＤ２のシステムで使用されるエラー訂正方式を説明するためのものである。次世代ＭＤ１および次世代ＭＤ２のシステムでは、図５に示すようなＬＤＣによるエラー訂正符号化方式と、図６および図７に示すようなＢＩＳ方式とが組み合わされている。
【００６８】
図５は、ＬＤＣによるエラー訂正符号化の符号化ブロックの構成を示すものである。図５に示すように、各エラー訂正符号化セクタのデータに対して、４バイトのエラー検出コードＥＤＣが付加され、水平方向に３０４バイト、垂直方向に２１６バイトのエラー訂正符号化ブロックに、データが二次元配列される。各エラー訂正符号化セクタは、２Ｋバイトのデータからなる。図５に示すように、水平方向に３０４バイト、垂直方向に２１６バイトからなるエラー訂正符号化ブロックには、２Ｋバイトからなるエラー訂正符号化セクタが３２セクタ分配置される。このように、水平方向に３０４バイト、垂直方向に２１６バイトに二次元配列された３２個のエラー訂正符号化セクタのエラー訂正符号化ブロックのデータに対して、垂直方向に、３２ビットのエラー訂正用のリード・ソロモンコードのパリティが付加される。
【００６９】
図６および図７は、ＢＩＳの構成を示すものである。図６に示すように、３８バイトのデータ毎に、１バイトのＢＩＳが挿入され、（３８×４＝１５２バイト）のデータと、３バイトのＢＩＳデータと、２．５バイトのフレームシンクとの合計１５７．５バイトが１フレームとされる。
【００７０】
図７に示すように、このように構成されるフレームを４９６フレーム集めて、ＢＩＳのブロックが構成される。ＢＩＳデータ（３×４９６＝１４８８バイト）には、５７６バイトのユーザコントロールデータと、１４４バイトのアドレスユニットナンバと、７６８バイトのエラー訂正コードが含められる。
【００７１】
このように、ＢＩＳデータには、１４８８バイトのデータに対して７６８バイトのエラー訂正コードが付加されているので、強力にエラー訂正を行うことができる。このＢＩＳコードを３８バイト毎に埋め込んでおくことにより、バーストエラーが発生したときに、エラーロケーションが検出できる。このエラーロケーションを使って、ＬＤＣコードにより、イレージャ訂正を行うことができる。
【００７２】
ＡＤＩＰ信号は、図８に示すように、シングルスパイラルのグルーブの両側に対してウォブルを形成することで記録される。すなわち、ＡＤＩＰ信号は、ＦＭ変調されたアドレスデータを有し、ディスク素材にグルーブのウォブルとして形成されることにより記録される。
【００７３】
図９は、次世代ＭＤ１の場合のＡＤＩＰ信号のセクタフォーマットを示すものである。
【００７４】
図９に示すように、ＡＤＩＰ信号の１セクタ（ＡＤＩＰセクタ）は、４ビットのシンクと、８ビットのＡＤＩＰクラスタナンバの上位ビットと、８ビットのＡＤＩＰクラスタナンバの下位ビットと、８ビットのＡＤＩＰセクタナンバと、１４ビットのエラー検出コードＣＲＣとからなる。
【００７５】
シンクは、ＡＤＩＰセクタの先頭を検出するための所定パターンの信号である。従来のＭＤシステムでは、畳み込み符号を使っているため、リンキングセクタが必要になる。リンキング用のセクタナンバは、負の値を持ったセクタナンバで、「ＦＣｈ」、「ＦＤｈ」、「ＦＥｈ」、「ＦＦｈ」（ｈは１６進数を示す）のセクタナンバのものである。次世代ＭＤ１では、現行のＭＤシステムのディスクを流用するため、このＡＤＩＰセクタのフォーマットは、現行のＭＤシステムのものと同様である。
【００７６】
次世代ＭＤ１のシステムでは、図１０に示すように、ＡＤＩＰセクタナンバ「ＦＣｈ」から「ＦＦｈ」および「０Ｆｈ」から「１Ｆｈ」までの３６セクタで、ＡＤＩＰクラスタが構成される。そして、図１０に示すように、１つのＡＤＩＰクラスタに、２つのレコーディングブロック（６４Ｋバイト）のデータを配置するようにしている。
【００７７】
図１１は、次世代ＭＤ２の場合のＡＤＩＰセクタの構成を示すものである。次世代ＭＤ２の仕様では、ＡＤＩＰセクタが１６セクタで、ＡＤＩＰセクタが構成される。したがって、ＡＤＩＰのセクタナンバは、４ビットで表現できる。また、次世代ＭＤでは、ブロック完結のエラー訂正符号が用いられているため、リンキングセクタは不要である。
【００７８】
次世代ＭＤ２のＡＤＩＰセクタは、図１１に示すように、４ビットのシンクと、４ビットのＡＤＩＰクラスタナンバの上位ビットと、８ビットのＡＤＩＰクラスタナンバの中位ビットと、４ビットのＡＤＩＰクラスタナンバの下位ビットと、４ビットのＡＤＩＰセクタナンバと、１８ビットのエラー訂正用のパリティとからなる。
【００７９】
シンクは、ＡＤＩＰセクタの先頭を検出するための所定パターンの信号である。ＡＤＩＰクラスタナンバとしては、上位４ビット、中位８ビット、下位４ビットの１６ビット分が記述される。１６個のＡＤＩＰセクタでＡＤＩＰクラスタが構成されるため、ＡＤＩＰセクタのセクタナンバは４ビットとされている。現行のＭＤシステムでは１４ビットのエラー検出コードであるが、１８ビットのエラー訂正用のパリティとなっている。そして、次世代ＭＤ２の仕様では、図１２に示すように、１つのＡＤＩＰクラスタに、１レコーディングブロック（６４Ｋバイト）のデータが配置される。
【００８０】
図１３は、次世代ＭＤ１の場合のＡＤＩＰクラスタとＢＩＳのフレームとの関係を示すものである。
【００８１】
図１０に示したように、次世代ＭＤ１の仕様では、ＡＤＩＰセクタ「ＦＣ」〜「ＦＦ」およびＡＤＩＰセクタ「００」〜「１Ｆ」の３６セクタで、１つのＡＤＩＰクラスタが構成される。記録再生の単位となる１レコーディングブロック（６４Ｋバイト）のデータは、１つのＡＤＩＰクラスタに、２つ分配置される。
【００８２】
図１３に示すように、１つのＡＤＩＰセクタは、前半の１８セクタと、後半の１８セクタとに分けられる。
【００８３】
記録再生の単位となる１レコーディングブロックのデータは、４９６フレームからなるＢＩＳのブロックに配置される。このＢＩＳのブロックに相当する４９６フレーム分のデータのフレーム（フレーム「１０」からフレーム「５０５」）の前に、１０フレーム分のプリアンブル（フレーム「０」からフレーム「９」）が付加され、また、このデータのフレームの後に、６フレーム分のポストアンブルのフレーム（フレーム５０６からフレーム５１１）が付加され、合計、５１２フレーム分のデータが、ＡＤＩＰセクタ「ＦＣｈ」からＡＤＩＰセクタ「０Ｄｈ」のＡＤＩＰクラスタの前半に配置されるとともに、ＡＤＩＰセクタ「０Ｅｈ」からＡＤＩＰセクタ「１Ｆｈ」のＡＤＩＰクラスタの後半に配置される。データフレームの前のプリアンブルのフレームと、データの後ろのポストアンブルのフレームは、隣接するレコーディングブロックとのリンキング時にデータを保護するのに用いられる。プリアンブルは、データ用ＰＬＬの引き込み、信号振幅制御、信号オフセット制御などにも用いられる。
【００８４】
レコーディングブロックのデータを記録再生する際の物理アドレスは、ＡＤＩＰクラスタと、そのクラスタの前半か後半かにより指定される。記録再生時に物理アドレスが指定されると、ＡＤＩＰ信号からＡＤＩＰセクタが読み取られ、ＡＤＩＰセクタの再生信号から、ＡＤＩＰクラスタナンバとＡＤＩＰセクタナンバが読み取られ、ＡＤＩＰクラスタの前半と後半とが判別される。
【００８５】
図１４は、次世代ＭＤ２の仕様の場合のＡＤＩＰクラスタとＢＩＳのフレームとの関係を示すものである。図１２に示したように、次世代ＭＤ２の仕様では、ＡＤＩＰセクタが１６セクタで、１つのＡＤＩＰクラスタが構成される。１つのＡＤＩＰクラスタに、１レコーディングブロック（６４Ｋバイト）のデータが配置される。
【００８６】
図１４に示すように、記録再生の単位となる１レコーディングブロック（６４Ｋバイト）のデータは、４９６フレームからなるＢＩＳのブロックに配置される。このＢＩＳのブロックに相当する４９６フレーム分のデータのフレーム（フレーム「１０」からフレーム「５０５」）の前に、１０フレーム分のプリアンブル（フレーム「０」からフレーム「９」）が付加され、また、このデータのフレームの後に、６フレーム分のポストアンブルのフレーム（フレーム５０６からフレーム５１１）が付加され、合計、５１２フレーム分のデータが、ＡＤＩＰセクタ「０ｈ」からＡＤＩＰセクタ「Ｆｈ」からなるＡＤＩＰクラスタに配置される。
【００８７】
データフレームの前のプリアンブルのフレームと、データの後ろのポストアンブルのフレームは、隣接するレコーディングブロックとのリンキング時にデータを保護するのに用いられる。プリアンブルは、データ用ＰＬＬの引き込み、信号振幅制御、信号オフセット制御などにも用いられる。
【００８８】
レコーディングブロックのデータを記録再生する際の物理アドレスは、ＡＤＩＰクラスタで指定される。記録再生時に物理アドレスが指定されると、ＡＤＩＰ信号からＡＤＩＰセクタが読み取られ、ＡＤＩＰセクタの再生信号から、ＡＤＩＰクラスタナンバが読み取られる。
【００８９】
ところで、このようなディスクでは、記録再生を開始するときに、レーザパワーの制御等を行うために、各種のコントロール情報が必要である。次世代ＭＤ１の仕様のディスクでは、図１に示したように、リードイン領域にＰ−ＴＯＣが設けられており、このＰ−ＴＯＣから、各種のコントロール情報が取得される。
【００９０】
次世代ＭＤ２の仕様のディスクには、エンボスピットによるＰ−ＴＯＣは設けられず、コントロール情報がリードイン領域のＡＤＩＰ信号により記録される。また、次世代ＭＤ２の仕様のディスクでは、磁気超解像度の技術が使われるため、レーザのパワーコントロールが重要である。次世代ＭＤ２の仕様のディスクでは、リードイン領域とリードアウト領域には、パワーコントロール調整用のキャリブレーション領域が設けられる。
【００９１】
すなわち、図１５は、次世代ＭＤ２の仕様のディスクのリードインおよびリードアウトの構成を示すものである。図１５に示すように、ディスクのリードインおよびリードアウト領域には、レーザビームのパワーコントロール領域として、パワーキャリブレーション領域が設けられる。
【００９２】
また、リードイン領域には、ＡＤＩＰによるコントロール情報を記録したコントロール領域が設けられる。ＡＤＩＰによるコントロール情報の記録とは、ＡＤＩＰクラスタナンバの下位ビットとして割り当てられている領域を使って、ディスクのコントロール情報を記述するものである。
【００９３】
すなわち、ＡＤＩＰクラスタナンバは、レコーダブル領域の開始位置から始まっており、リードイン領域では負の値になっている。図１５に示すように、次世代ＭＤ２のＡＤＩＰセクタは、４ビットのシンクと、８ビットのＡＤＩＰクラスタナンバの上位ビットと、８ビットのコントロールデータ（ＡＤＩＰクラスタナンバの下位ビット）と、４ビットのＡＤＩＰセクタナンバと、１８ビットのエラー訂正用のパリティとからなる。ＡＤＩＰクラスタナンバの下位ビットとして割り当てられている８ビットに、図１５に示すように、ディスクタイプや、磁気位相、強度、読み出しパワー等のコントロール情報が記述される。
【００９４】
なお、ＡＤＩＰクラスタの上位ビットは、そのまま残されているので、現在位置は、ある程度の精度で知ることができる。また、ＡＤＩＰセクタ「０」と、ＡＤＩＰセクタ「８」は、ＡＤＩＰクラスタナンバの下位８ビットを残しておくことにより、所定間隔で、ＡＤＩＰクラスタを正確に知ることができる。
【００９５】
ＡＤＩＰ信号によるコントロール情報の記録については、本願出願人が先に提案した特願２００１−１２３５３５号の明細書中に詳細に記載してある。
【００９６】
４．記録再生装置の構成
次に、図１６、図１７により、次世代ＭＤ１および次世代ＭＤ２システムで記録／再生に用いられるディスクに対応するディスクドライブ装置（記録再生装置）の構成を説明する。
【００９７】
図１６には、ディスクドライブ装置１が、例えばパーソナルコンピュータ１００と接続可能なものとして示している。
【００９８】
ディスクドライブ装置１は、メディアドライブ部２、メモリ転送コントローラ３、クラスタバッファメモリ４、補助メモリ５、ＵＳＢ（Ｕｎｉｖｅｒｓａｌ　Ｓｅｒｉａｌ　Ｂｕｓ）インターフェース６，８、ＵＳＢハブ７、システムコントローラ９、オーディオ処理部１０を備えている。
【００９９】
メディアドライブ部２は、装填されたディスク９０に対する記録／再生を行う。ディスク９０は、次世代ＭＤ１のディスク、次世代ＭＤ２のディスク、または現行のＭＤのディスクである。メディアドライブ部２の内部構成は図１７で後述する。
【０１００】
メモリ転送コントローラ３は、メディアドライブ部２からの再生データやメディアドライブ部２に供給する記録データについての受け渡しの制御を行う。
【０１０１】
クラスタバッファメモリ４は、メモリ転送コントローラ３の制御に基づいて、メディアドライブ部２によってディスク９０のデータトラックからレコーディングブロック単位で読み出されたデータのバッファリングを行う。
【０１０２】
補助メモリ５は、メモリ転送コントローラ３の制御に基づいて、メディアドライブ部２によってディスク９０から読み出された各種管理情報や特殊情報を記憶する。
【０１０３】
システムコントローラ９は、ディスクドライブ装置１内の全体の制御を行うと共に、接続されたパーソナルコンピュータ１００との間の通信制御を行う。
【０１０４】
すなわち、システムコントローラ９は、ＵＳＢインターフェース８、ＵＳＢハブ７を介して接続されたパーソナルコンピュータ１００との間で通信可能とされ、書込要求、読出要求等のコマンドの受信やステイタス情報その他の必要情報の送信などを行う。
【０１０５】
システムコントローラ９は、例えばディスク９０がメディアドライブ部２に装填されることに応じて、ディスク９０からの管理情報等の読出をメディアドライブ部２に指示し、メモリ転送コントローラ３によって読み出した管理情報等を補助メモリ５に格納させる。
【０１０６】
パーソナルコンピュータ１００からのあるＦＡＴセクタの読出要求があった場合は、システムコントローラ９はメディアドライブ部２に、そのＦＡＴセクタを含むレコーディングブロックの読み出しを実行させる。読み出されたレコーディングブロックのデータはメモリ転送コントローラ３によってクラスタバッファメモリ４に書き込まれる。
【０１０７】
システムコントローラ９はクラスタバッファメモリ４に書き込まれているレコーディングブロックのデータから、要求されたＦＡＴセクタのデータを読み出させ、ＵＳＢインターフェース６、ＵＳＢハブ７を介してパーソナルコンピュータ１００に送信させる制御を行う。
【０１０８】
パーソナルコンピュータ１００からのあるＦＡＴセクタの書き込み要求があった場合は、システムコントローラ９はメディアドライブ部２に、まずそのＦＡＴセクタを含むレコーディングブロックの読み出しを実行させる。読み出されたレコーディングブロックはメモリ転送コントローラ３によってクラスタバッファメモリ４に書き込まれる。
【０１０９】
システムコントローラ９は、パーソナルコンピュータ１００からのＦＡＴセクタのデータ（記録データ）をＵＳＢインターフェース６を介してメモリ転送コントローラ３に供給させ、クラスタバッファメモリ４上で、該当するＦＡＴセクタのデータの書き換えを実行させる。
【０１１０】
システムコントローラ９は、メモリ転送コントローラ３に指示して、必要なＦＡＴセクタが書き換えられた状態でクラスタバッファメモリ４に記憶されているレコーディングブロックのデータを、記録データとしてメディアドライブ部２に転送させる。メディアドライブ部２では、そのレコーディングブロックの記録データを変調してディスク９０に書き込む。
【０１１１】
システムコントローラ９に対して、スイッチ５０が接続される。このスイッチ５０は、ディスクドライブ装置１の動作モードを次世代ＭＤ１システムおよび現行ＭＤシステムの何れかに設定する。すなわち、ディスクドライブ装置１では、現行のＭＤシステムによるディスク９０に対して、現行のＭＤシステムのフォーマットと、次世代ＭＤ１システムのフォーマットの両方で、オーディオデータの記録を行うことができる。このスイッチ５０により、ユーザに対してディスクドライブ装置１本体の動作モードを明示的に示すことができる。機械的構造のスイッチが示されているが、電気または磁気を利用したスイッチ、あるいはハイブリッド型のスイッチを使用することもできる。
【０１１２】
ディスクドライブ装置１に対して、例えばＬＣＤ（Ｌｉｑｕｉｄ　Ｃｒｙｓｔａｌ　Ｄｉｓｐｌａｙ）からなるディスプレイ５１が設けられる。ディスプレイ５１は、テキストデータや簡単なアイコンなどの表示が可能とされ、システムコントローラ９から供給される表示制御信号に基づき、このディスクドライブ装置１の状態に関する情報や、ユーザに対するメッセージなどを表示する。
【０１１３】
オーディオ処理部１０は、入力系として、例えばライン入力回路／マイクロホン入力回路等のアナログ音声信号入力部、Ａ／Ｄ変換器や、ディジタルオーディオデータ入力部を備える。また、オーディオ処理部１０はＡＴＲＡＣ圧縮エンコーダ／デコーダや、圧縮データのバッファメモリを備える。更に、オーディオ処理部１０は、出力系として、ディジタルオーディオデータ出力部や、Ｄ／Ａ変換器およびライン出力回路／ヘッドホン出力回路等のアナログ音声信号出力部を備える。
【０１１４】
ディスク９０が現行のＭＤのディスクの場合には、ディスク９０に対してオーディオトラックが記録されるときに、オーディオ処理部１０にディジタルオーディオデータ（またはアナログ音声信号）が入力される。入力されたリニアＰＣＭディジタルオーディオデータ、あるいはアナログ音声信号で入力されＡ／Ｄ変換器で変換されて得られたリニアＰＣＭオーディオデータは、ＡＴＲＡＣ圧縮エンコードされ、バッファメモリに蓄積される。そして所定タイミング（ＡＤＩＰクラスタ相当のデータ単位）でバッファメモリから読み出されてメディアドライブ部２に転送される。メディアドライブ部２では、転送されてくる圧縮データを、ＥＦＭで変調してディスク９０にオーディオトラックとして書き込みを行う。
【０１１５】
ディスク９０が現行のＭＤシステムのディスクの場合には、ディスク９０のオーディオトラックが再生されるときには、メディアドライブ部２は再生データをＡＴＲＡＣ圧縮データ状態に復調して、メモリ転送コントローラ３を介してオーディオ処理部１０に転送する。オーディオ処理部１０は、ＡＴＲＡＣ圧縮デコードを行ってリニアＰＣＭオーディオデータとし、ディジタルオーディオデータ出力部から出力する。あるいはＤ／Ａ変換器によりアナログ音声信号としてライン出力／ヘッドホン出力を行う。
【０１１６】
なお、パーソナルコンピュータ１００との接続はＵＳＢでなく、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４等の他の外部インターフェースが用いられても良い。
【０１１７】
記録再生データ管理は、ＦＡＴシステムを使って行われ、レコーディングブロックとＦＡＴセクタとの変換については、本願出願人が先に提案した特願２００１−２８９３８０号の明細書中に詳細に記載してある。
【０１１８】
上述のように、ＦＡＴセクタの書き換えを行う場合には、ＦＡＴセクタを含むレコーディングブロック（ＲＢ）をアクセスし、クラスタバッファメモリ４上でそのレコーディングブロックのデータを読み出して、クラスタバッファメモリ４に一旦書き込み、そのレコーディングブロックのＦＡＴセクタの書き換えを行い、ＦＡＴセクタを書き換えたレコーディングブロックをクラスタバッファメモリ４から再びディスクに書き込む処理を行う。
【０１１９】
ところが、次世代ＭＤ１および次世代ＭＤ２のディスクでは、レコーダブル領域は初期化されていないため、ＦＡＴセクタの書き換えを行う際に、そのレコーディングブロックが今まで未使用の場合には、レコーディングブロックのデータを読み出したときに、ＲＦ信号が得られず、再生データがエラーになってしまい、読み出しが行えず、ＦＡＴセクタの書き込みが行えないことがある。
【０１２０】
また、ＦＡＴセクタの読み出しを行う場合にも、ＦＡＴセクタを含むレコーディングブロックをアクセスし、クラスタバッファメモリ４上でそのレコーディングブロックのデータを読み出して、クラスタバッファメモリ４に一旦書き込み、そのレコーディングブロックの中から目的とするＦＡＴセクタのデータを取り出す処理を行う。この場合にも、レコーダブル領域は初期化されていないため、そのレコーディングブロックが今まで未使用の場合には、ＲＦ信号が得られず、読み出しが行えなかったり、エラーデータが再生されてしまうことがある。
【０１２１】
これを回避するため、アクセスされたレコーディングブロックが今まで未使用であったかどうかを判断し、今まで未使用のレコーディングブロックなら、レコーディングブロックの読み出しを行わないようにする。
【０１２２】
つまり、図２０に示すように、各レコーディングブロック番号毎に、そのレコーディングブロックが使用済みであるか否かを示すシグナルレコーディングビットマップ（ＳＲＢ）が作成される。シグナルレコーディングビットマップのビットの値は、そのレコーディングブロックに一度も書き込みが行われていなければ例えば「０」であり、そのレコーディングブロックに一度でも書き込みが行われれば例えば「１」となる。
【０１２３】
図２１は、次世代ＭＤ１および次世代ＭＤ２の仕様のディスクに対応するディスクドライブ装置をパーソナルコンピュータに接続して、このＦＡＴセクタ単位でのデータの読み出しを行う場合の処理を示すフローチャートである。
【０１２４】
図２１において、パーソナルコンピュータ側からＦＡＴセクタの読み出し命令が与えられたら、そのセクタが格納されているレコーディングブロック番号が求められる（ステップＳ１）。なお、命令されるセクタ番号は、ディスクのユーザエリアの先頭を０とする絶対セクタ番号である。そして、そのＦＡＴセクタが交替処理されているか否かが判断され（ステップＳ２）。
【０１２５】
ステップＳ２で、そのＦＡＴセクタが交替処理されていないと判断されたら、目的とするＦＡＴセクタはステップＳ１で求められたレコーディングブロックに含まれているので、そのレコーディングブロック番号に対応するシグナルレコーディングビットマップのビットが「０」か「１」か求められる（ステップＳ３）。
【０１２６】
ステップＳ２で、そのＦＡＴセクタが交替処理されていると判断されたら、実際に読み出し／書き込みされるＦＡＴセクタは交替セクタなので、ＤＤＴの交替テーブルから、実際に読み出し／書き込みされる交替セクタのレコーディングブロックの番号が求められる（ステップＳ４）。そして、その交替セクタが含まれるレコーディングブロック番号に対応するシグナルレコーディングビットマップのビットが「０」か「１」か求められる（ステップＳ３）。
【０１２７】
シグナルレコーディングビットマップは、図２０に示したように構成されており、そのレコーディングブロックに一度も書き込みが行われていなければ例えば「０」であり、そのレコーディングブロックに一度でも書き込みが行われれば例えば「１」となっている。このシグナルレコーディングビットマップから、そのレコーディングブロックが書き込み履歴のあるレコーディングブロックか否かが判断される（ステップＳ５）。
【０１２８】
ステップＳ５で、そのレコーディングブロック番号のシグナルレコーディングビットマップのビットの値が「１」で、書き込み履歴があるレコーディングブロックであると判断された場合には、そのレコーディングブロックのデータがディスクからクラスタバッファメモリ４に読み出される（ステップＳ６）。そして、クラスタバッファメモリ４から、目的とするＦＡＴセクタに該当する部分が取り出され、これが読み出しデータとして出力される（ステップＳ７）。
【０１２９】
ステップＳ５で、そのレコーディングブロック番号のシグナルレコーディングビットマップのビットの値が「０」で、書き込み履歴がないレコーディングブロックであると判断された場合には、クラスタバッファメモリ４が全て「０」で埋められる（ステップＳ８）。そして、クラスタバッファメモリ４から、目的とするＦＡＴセクタに該当する部分が取り出され、これが読み出しデータとして出力される（ステップＳ７）。
【０１３０】
図２２は、次世代ＭＤ１および次世代ＭＤ２の仕様のディスクに対応するディスクドライブ装置をパーソナルコンピュータに接続して、このＦＡＴセクタ単位でのデータの書き込みを行う場合の処理を示すフローチャートである。
【０１３１】
図２２において、パーソナルコンピュータ側からＦＡＴセクタの書き込み命令が与えられたら、そのセクタが格納されているレコーディングブロック番号を求められる（ステップＳ１１）。なお、命令されるセクタ番号は、ディスクのユーザエリア先頭を０とする絶対セクタ番号である。そして、そのＦＡＴセクタが交替処理されているか否かが判断される（ステップＳ１２）。
【０１３２】
ステップＳ１２で、そのＦＡＴセクタが交替処理されていないと判断されたら、目的とするＦＡＴセクタはステップＳ１１で求められたレコーディングブロックに含まれているので、そのレコーディングブロック番号に対応するシグナルレコーディングビットマップのビットが「０」か「１」か求められる（ステップＳ１３）。
【０１３３】
ステップＳ１２で、そのＦＡＴセクタが交替処理されていると判断されたら、実際に読み出し／書き込みされるＦＡＴセクタは交替セクタなので、ＤＤＴの交替テーブルから、実際に読み出し／書き込みされる交替セクタのレコーディングブロックの番号が求められる（ステップＳ１４）。そして、その交替セクタが含まれるレコーディングブロック番号に対応するシグナルレコーディングビットマップのビットが「０」か「１」か求められる（ステップＳ１３）。
【０１３４】
シグナルレコーディングビットマップは、図２０に示したように構成されており、そのレコーディングブロックに一度も書き込みが行われていなければ例えば「０」であり、そのレコーディングブロックに一度でも書き込みが行われれば例えば「１」となっている。このシグナルレコーディングビットマップから、そのレコーディングブロックが書き込み履歴のあるレコーディングブロックか否かが判断される（ステップＳ１５）。
【０１３５】
ステップＳ１５で、そのレコーディングブロック番号のシグナルレコーディングビットマップのビットの値が「１」で、書き込み履歴があるレコーディングブロックであると判断された場合には、そのレコーディングブロックのデータがディスクからクラスタバッファメモリ４に読み出される（ステップＳ１６）。そして、クラスタバッファメモリ４上で、そのレコーディングブロックの目的とするＦＡＴセクタに該当する部分のデータが書き込みデータに置き換えられる（ステップＳ１７）。
【０１３６】
ステップＳ１５で、そのレコーディングブロック番号のシグナルレコーディングビットマップのビットの値が「０」で、書き込み履歴がないレコーディングブロックであると判断された場合には、クラスタバッファメモリ４が全て「０」で埋められる（ステップＳ１８）。そして、クラスタバッファメモリ４上で、そのレコーディングブロックの目的とするＦＡＴセクタに該当する部分のデータが書き込みデータに置き換えられる（ステップＳ１７）。
【０１３７】
ステップＳ１７で、クラスタバッファメモリ４上で、そのレコーディングブロックの目的とするＦＡＴセクタに該当する部分のデータが書き込みデータに置き換えられたら、そのレコーディングブロックのデータがディスクに書き込まれる（ステップＳ１９）。
【０１３８】
このように、ＦＡＴセクタの読み出しや書き込みを行う場合に、そのＦＡＴセクタを含むレコーディングブロックが今まで未使用であったかどうかを判断し、今まで未使用のレコーディングブロックなら、レコーディングブロックの読み出しを行わず、クラスタバッファメモリ４をオール「０」としている。これにより、今まで未使用のレコーディングブロックは、初期値である「０」として処理されるようになる。このため、ＦＡＴセクタ単位で記録や再生を行うときに、そのＦＡＴセクタを含むレコーディングブロックが今まで未使用でＲＦ信号が得られない場合でも、エラーデータとなることがない。
【０１３９】
なお、上述の例では、次世代ＭＤ１および次世代ＭＤ２の仕様のディスクに対応するディスクドライブ装置をパーソナルコンピュータに接続して、読み出しおよび書き込みを行うようにしている。この場合には、読み出しや書き込みのＦＡＴセクタは、パーソナルコンピュータから、ユーザエリアの先頭を０とする絶対セクタ番号として与えられる。これに対して、単独で使用した場合には、図２３および図２４に示すように、目的とするＦＡＴセクタは、ファイルのディレクトリエントリと、ＦＡＴチェーンにより求められる。
【０１４０】
図２３は、次世代ＭＤ１および次世代ＭＤ２の仕様のディスクに対応するディスクドライブ装置単独で、ＦＡＴセクタの読み出しを行う場合の処理を示すフローチャートである。
【０１４１】
図２３において、目的のＦＡＴセクタが含まれるＦＡＴクラスタの相対クラスタ番号が求められる（ステップＳ２１）。ファイルのディレクトリエントリから、先頭の絶対クラスタ番号が求められる（ステップＳ２２）。この先頭の絶対クラスタ番号から、ＦＡＴテーブルのチェーンを辿り、目的のＦＡＴクラスタの絶対クラスタ番号が求められる（ステップＳ２３）。目的のＦＡＴクラスタの絶対クラスタ番号から、目的のＦＡＴセクタの絶対セクタ番号が求められる（ステップＳ２４）。目的のＦＡＴセクタの絶対セクタ番号が求められたら、ＦＡＴセクタの読み出し処理が行われる（ステップＳ２５）。このセクタの読み出し処理は、図２１に示した処理と同様である。
【０１４２】
図２４は、次世代ＭＤ１および次世代ＭＤ２の仕様のディスクに対応するディスクドライブ装置単独で、ＦＡＴセクタの書き込みを行う場合の処理を示すフローチャートである。
【０１４３】
図２４において、目的のＦＡＴセクタが含まれるＦＡＴクラスタの相対クラスタ番号が求められる（ステップＳ３１）。ファイルのディレクトリエントリから、先頭の絶対クラスタ番号が求められる（ステップＳ３２）。この先頭の絶対クラスタ番号から、ＦＡＴテーブルのチェーンを辿り、目的のＦＡＴクラスタの絶対クラスタ番号が求められる（ステップＳ３３）。目的のＦＡＴクラスタの絶対クラスタ番号から、目的のＦＡＴセクタの絶対セクタ番号が求められる（ステップＳ３４）。目的のＦＡＴセクタの絶対セクタ番号が求められたら、ＦＡＴセクタの書き込み処理が行われる（ステップＳ３５）。このセクタの書き込み処理は、図２２に示した処理と同様である。
【０１４４】
上述の例では、図２０に示したシグナルレコーディングビットマップを使って、目的とするＦＡＴセクタが含まれるレコーディングブロックが使用済みであるか否かを判断できるようにしている。ＦＡＴは、例えば３２ＫバイトのＦＡＴクラスタ単位で管理されており、ＦＡＴの情報を使うと、ＦＡＴクラスタ単位で、使用されたことがあるか否かを判断できる。このＦＡＴの情報から、例えば６４Ｋバイトのレコーディングブロック毎に使用されたことがあるか否かを示すシグナルレコーディングビットマップを作成することができる。
【０１４５】
図２５は、シグナルレコーディングビットマップをＦＡＴ情報を使って作成する場合の処理を示すフローチャートである。図２５において、ディスクが挿入されたら、シグナルレコーディングビットマップの各レコーディングブロックの値が全て「０」に設定される（ステップＳ４１）。そして、ＦＡＴ情報が読み込まれ（ステップＳ４２）、ＦＡＴのエントリの先頭がアクセスされる（ステップＳ４３）。
【０１４６】
それから、ＦＡＴの先頭から最終のエントリまで、使用されたことのあるＦＡＴクラスタか否かを判断し、使用されたことのないＦＡＴクラスタに対応するシグナルレコーディングビットマップのビットの値は「０」のままとし、使用されたことのあるＦＡＴクラスタに対応するシグナルレコーディングビットマップのビットの値を「１」にする処理が行われる。
【０１４７】
つまり、ステップＳ４３でＦＡＴのエントリの先頭がアクセスされたら、最終ＦＡＴエントリであるか否かが判断され（ステップＳ４４）、最終ＦＡＴエントリでなければ、使用されたことのあるＦＡＴクラスタか否かが判断される（ステップＳ４５）。
【０１４８】
ステップＳ４５で、使用されたことのないＦＡＴクラスタであると判断されたら、次のＦＡＴエントリに進められ（ステップＳ４６）、ステップＳ４４にリターンされる。
【０１４９】
ステップＳ４５で、使用されたことのあるＦＡＴクラスタであると判断されたら、そのＦＡＴクラスタが格納されているシグナルレコーディングビットマップの番号が求められ（ステップＳ４７）、そのシグナルレコーディングビットマップに対応するビットの値が「１」とされる（ステップＳ４８）。そして、次のＦＡＴエントリに進められ（ステップＳ４９）、ステップＳ４４にリターンされる。
【０１５０】
ステップＳ４４からＳ４９の処理を繰り返していくことにより、使用されたことのないＦＡＴクラスタに対応するシグナルレコーディングビットマップのビットの値は「０」のままで、使用されたことのあるＦＡＴクラスタに対応するシグナルレコーディングビットマップのビットの値を「１」になる。
【０１５１】
ステップＳ４４で、最終ＦＡＴエントリであると判断されたら、それでシグナルレコーディングビットマップの作成が完了される（ステップＳ５０）。
【０１５２】
このように、ＦＡＴの情報を使うと、シグナルレコーディングビットマップを作成することができる。しかしながら、オペレーティングシステムによっては、ＦＡＴ情報から得られる使用されたことのあるＦＡＴクラスタは、実際にデータが書き込まれたＦＡＴクラスタを意味していないことがある。このようなオペレーティングシステムを使った場合には、ＦＡＴ情報からは使用されたクラスタとされているにもかかわらず、実際には、未使用のままのＦＡＴクラスタが存在することがある。
【０１５３】
こうした問題を避けるために、シグナルレコーディングビットマップをディスク上に残される。すなわち、図２および図４に示したように、次世代ＭＤ１および次世代ＭＤ２の仕様のディスクには、ＤＤＴトラックとＦＡＴトラックとの間に、リザーブトラックが設けられている。このリザーブトラックがシグナルレコーディングビットマップの記録トラックとされる。このシグナルレコーディングビットマップの記録トラックに、図２０に示したシグナルレコーディングビットマップの情報が記録される。
【０１５４】
なお、このシグナルレコーディングビットマップの記録トラックの位置は、システムにより予め決めておくと、決められた位置から直接アクセスすることができる。また、ＤＤＴトラックやＦＡＴトラックの位置についても、システムにより予め決めておくと、決められた位置から直接アクセスすることができる。勿論、これらの特別なトラックの位置を、管理領域（次世代ＭＤ１ならＵ−ＴＯＣ、次世代ＭＤ２ならＡＤＩＰによるコントロール情報を記録したコントロール領域）に書いておくようにしても良い。ＤＤＴトラックやＦＡＴトラックの情報は、ディスク装着時に読み出され、バッファとなるメモリ上に記憶され、これに基づいて交替セクタ情報やＦＡＴ情報が形成される。そして、ディスクの使用中に、これらの情報が更新され、ディスクを排出するときに、更新された交替セクタ情報やＦＡＴ情報がＤＤＴトラックやＦＡＴトラックに書き戻される。シグナルレコーディングビットマップの記録トラックの処理も、ＤＤＴトラックやＦＡＴトラックの処理と基本的には同様となる。
【０１５５】
ディスクが挿入されるときに、このシグナルレコーディングビットマップの記録トラックの情報が読み出され、メモリ上に記憶される。そして、新たにレコーディングブロックにデータが記録される毎に、メモリ上のシグナルレコーディングビットマップが更新される。そして、ディスクが排出されるときに、更新されたメモリ上のシグナルレコーディングビットマップがシグナルレコーディングビットマップの記録トラックに記録される。
【０１５６】
図２６は、シグナルレコーディングビットマップの記録トラックの読み出し処理を示すフローチャートである。図２６に示すように、ディスクが挿入されたら、シグナルレコーディングビットマップの記録トラックが読み込まれる（ステップＳ６１）。読み込まれたシグナルレコーディングビットマップの記録トラックの情報がメモリ上に記憶され、メモリ上にシグナルレコーディングビットマップが作成される（ステップＳ６２）。
【０１５７】
図２７は、シグナルレコーディングビットマップの記録トラックに、シグナルレコーディングビットマップを書き戻すときの処理を示すフローチャートである。なお、メモリ上のシグナルレコーディングビットマップは、新たにレコーディングブロックにデータが記録される毎に更新されていく。
【０１５８】
図２７に示すように、ディスクが排出されるときには、更新されたシグナルレコーディングビットマップがメモリ上から読み出される（ステップＳ７１）。そして、この更新されたシグナルレコーディングビットマップがシグナルレコーディングビットマップの記録トラックが書き込まれる（ステップＳ７２）。
【０１５９】
シグナルレコーディングビットマップトラックの情報は、初期状態では、全て「０」に設定される。使用を繰り返すことにより、データの書き込みに使用されたレコーディングブロックに対応するシグナルレコーディングビットマップのビットの値が「１」に更新される。このシグナルレコーディングビットマップの情報がディスクのシグナルレコーディングビットマップの記録トラックに書き込まれる。次の使用時には、このシグナルレコーディングビットマップの記録トラックの情報を読み出すことで、シグナルレコーディングビットマップを作成できる。このようにすると、ＦＡＴ情報によらずにシグナルレコーディングビットマップを作成することができる。
【０１６０】
続いて、データトラックおよびオーディオトラックの両方について記録再生を行う機能を有するものとしてのメディアドライブ部２の構成を図１７を参照して説明する。
【０１６１】
図１７は、メディアドライブ部２の構成を示すものである。メディアドライブ部２は、現行のＭＤシステムのディスクと、次世代ＭＤ１のディスクと、次世代ＭＤ２のディスクとが装填されるターンテーブルを有しており。メディアドライブ部２では、ターンテーブルに装填されたディスク９０をスピンドルモータ２９によってＣＬＶ方式で回転駆動させる。このディスク９０に対しては記録／再生時に光学ヘッド１９によってレーザ光が照射される。
【０１６２】
光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、ここでは詳しい図示は省略するがレーザ出力手段としてのレーザダイオード、偏光ビームスプリッタや対物レンズ等からなる光学系、および反射光を検出するためのディテクタが搭載されている。光学ヘッド１９に備えられる対物レンズとしては、例えば２軸機構によってディスク半径方向およびディスクに接離する方向に変位可能に保持されている。
【０１６３】
また、ディスク９０を挟んで光学ヘッド１９と対向する位置には磁気ヘッド１８が配置されている。磁気ヘッド１８は記録データによって変調された磁界をディスク９０に印加する動作を行う。また、図示しないが光学ヘッド１９全体および磁気ヘッド１８をディスク半径方向に移動させためスレッドモータおよびスレッド機構が備えられている。
【０１６４】
光学ヘッド１９および磁気ヘッド１８は、次世代ＭＤ２のディスクの場合には、パルス駆動磁界変調を行うことで、微少なマークを形成することができる。現行ＭＤのディスクや、次世代ＭＤ１のディスクの場合には、ＤＣ発光の磁界変調方式とされる。
【０１６５】
このメディアドライブ部２では、光学ヘッド１９、磁気ヘッド１８による記録再生ヘッド系、スピンドルモータ２９によるディスク回転駆動系のほかに、記録処理系、再生処理系、サーボ系等が設けられる。
【０１６６】
なお、ディスク９０としては、現行のＭＤ仕様のディスクと、次世代ＭＤ１の仕様のディスクと、次世代ＭＤ２の仕様のディスクとが装着される可能性がある。これらのディスクにより、線速度が異なっている。スピンドルモータ２９は、これら線速度の異なる複数種類のディスクに対応する回転速度で回転させることが可能である。ターンテーブルに装填されたディスク９０は、現行のＭＤ仕様のディスクの線速度と、次世代ＭＤ１の仕様のディスクの線速度と、次世代ＭＤ２の仕様のディスクの線速度とに対応して回転される。
【０１６７】
記録処理系では、現行のＭＤシステムのディスクの場合に、オーディオトラックの記録時に、ＡＣＩＲＣでエラー訂正符号化を行い、ＥＦＭで変調してデータを記録する部位と、次世代ＭＤ１または次世代ＭＤ２の場合に、ＢＩＳとＬＤＣを組み合わせた方式でエラー訂正符号化を行い、１−７ｐｐ変調で変調して記録する部位が設けられる。
【０１６８】
再生処理系では、現行のＭＤシステムのディスクの再生時に、ＥＦＭの復調とＡＣＩＲＣによるエラー訂正処理と、次世代ＭＤ１または次世代ＭＤ２システムのディスクの再生時に、パーシャルレスポンスおよびビタビ復号を用いたデータ検出に基づく１−７復調と、ＢＩＳとＬＤＣによるエラー訂正処理とを行う部位が設けられる。
【０１６９】
また、現行のＭＤシステムや次世代ＭＤ１のＡＤＩＰ信号よるアドレスをデコードする部位と、次世代ＭＤ２のＡＤＩＰ信号をデコードする部位とが設けられる。
【０１７０】
光学ヘッド１９のディスク９０に対するレーザ照射によりその反射光として検出された情報（フォトディテクタによりレーザ反射光を検出して得られる光電流）は、ＲＦアンプ２１に供給される。
【０１７１】
ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【０１７２】
現行のＭＤシステムのディスクを再生するときには、ＲＦアンプで得られた再生ＲＦ信号は、ＥＦＭ復調部２４およびＡＣＩＲＣデコーダ２５で処理される。すなわち再生ＲＦ信号は、ＥＦＭ復調部２４で２値化されてＥＦＭ信号列とされた後、ＥＦＭ復調され、更にＡＣＩＲＣデコーダ２５で誤り訂正およびデインターリーブ処理される。すなわちこの時点でＡＴＲＡＣ圧縮データの状態となる。
【０１７３】
そして現行のＭＤシステムのディスクの再生時には、セレクタ２６はＢ接点側が選択されており、その復調されたＡＴＲＡＣ圧縮データがディスク９０からの再生データとして出力される。
【０１７４】
一方、次世代ＭＤ１または次世代ＭＤ２のディスクを再生するときには、ＲＦアンプで得られた再生ＲＦ信号は、ＲＬＬ（１−７）ＰＰ復調部２２およびＲＳ−ＬＤＣデコーダ２３で処理される。すなわち再生ＲＦ信号は、ＲＬＬ（１−７）ＰＰ復調部２２において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正およびデインターリーブ処理される。
【０１７５】
そして次世代ＭＤ１または次世代ＭＤ２のディスクの再生時には、セレクタ２６はＡ接点側が選択されており、その復調されたデータがディスク９０からの再生データとして出力される。
【０１７６】
ＲＦアンプ２１から出力されるトラッキングエラー信号ＴＥ、フォーカスエラー信号ＦＥはサーボ回路２７に供給され、グルーブ情報はＡＤＩＰ復調部３０に供給される。
【０１７７】
ＡＤＩＰ復調部３０は、グルーブ情報に対してバンドパスフィルタにより帯域制限してウォブル成分を抽出した後、ＦＭ復調、バイフェーズ復調を行ってＡＤＩＰ信号を復調する。復調されたＡＤＩＰ信号は、アドレスデコーダ３２およびアドレスデコーダ３３に供給される。
【０１７８】
現行のＭＤシステムのディスクまたは次世代ＭＤ１のシステムのディスクでは、図９に示したように、ＡＤＩＰセクタナンバが８ビットになっている。これに対して、次世代ＭＤ２のシステムのディスクでは、図１１に示したように、ＡＤＩＰセクタナンバが４ビットになっている。アドレスデコーダ３２は、現行のＭＤまたは次世代ＭＤ１のＡＤＩＰアドレスをデコードする。アドレスデコーダ３３は、次世代ＭＤ２のアドレスをデコードする。
【０１７９】
アドレスデコーダ３２および３３でデコードされたＡＤＩＰアドレスは、ドライブコントローラ３１に供給される。ドライブコントローラ３１ではＡＤＩＰアドレスに基づいて、所要の制御処理を実行する。またグルーブ情報はスピンドルサーボ制御のためにサーボ回路２７に供給される。
【０１８０】
サーボ回路２７は、例えばグルーブ情報に対して再生クロック（デコード時のＰＬＬ系クロック）との位相誤差を積分して得られる誤差信号に基づき、ＣＬＶまたはＣＡＶサーボ制御のためのスピンドルエラー信号を生成する。
【０１８１】
またサーボ回路２７は、スピンドルエラー信号や、ＲＦアンプ２１から供給されたトラッキングエラー信号、フォーカスエラー信号、あるいはドライブコントローラ３１からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち上記サーボエラー信号や指令に対して位相補償処理、ゲイン処理、目標値設定処理等の必要処理を行って各種サーボ制御信号を生成する。
【０１８２】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。このようなサーボドライブ信号により、ディスク９０に対するフォーカス制御、トラッキング制御、およびスピンドルモータ２９に対するＣＬＶまたはＣＡＶ制御が行われることになる。
【０１８３】
現行のＭＤシステムのディスクでオーディオデータを記録するときには、セレクタ１６がＢ接点に接続され、したがってＡＣＩＲＣエンコーダ１４およびＥＦＭ変調部１５が機能することになる。この場合、オーディオ処理部１０からの圧縮データはＡＣＩＲＣエンコーダ１４でインターリーブおよびエラー訂正コード付加が行われた後、ＥＦＭ変調部１５でＥＦＭ変調が行われる。
【０１８４】
そしてＥＦＭ変調データがセレクタ１６を介して磁気ヘッドドライバ１７に供給され、磁気ヘッド１８がディスク９０に対してＥＦＭ変調データに基づいた磁界印加を行うことでオーディオトラックの記録が行われる。
【０１８５】
次世代ＭＤ１または次世代ＭＤ２のディスクにデータを記録するときには、セレクタ１６がＡ接点に接続され、したがってＲＳ−ＬＤＣエンコーダ１２およびＲＬＬ（１−７）ＰＰ変調部１３が機能することになる。この場合、メモリ転送コントローラ３からの高密度データはＲＳ−ＬＤＣエンコーダ１２でインターリーブおよびＲＳ−ＬＤＣ方式のエラー訂正コード付加が行われた後、ＲＬＬ（１−７）ＰＰ変調部１３でＲＬＬ（１−７）変調が行われる。
【０１８６】
そしてＲＬＬ（１−７）符号列としての記録データがセレクタ１６を介して磁気ヘッドドライバ１７に供給され、磁気ヘッド１８がディスク９０に対して変調データに基づいた磁界印加を行うことでデータトラックの記録が行われる。
【０１８７】
レーザドライバ／ＡＰＣ２０は、上記のような再生時および記録時においてレーザダイオードにレーザ発光動作を実行させるが、いわゆるＡＰＣ（Ａｕｔｏｍａｔｉｃ　Ｌａｚｅｒ　Ｐｏｗｅｒ　Ｃｏｎｔｒｏｌ）動作も行う。
【０１８８】
すなわち、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
【０１８９】
なお、レーザパワーとしては、再生レーザパワー、記録レーザパワーとしての値がドライブコントローラ３１によって、レーザドライバ／ＡＰＣ２０内部のレジスタにセットされる。
【０１９０】
ドライブコントローラ３１は、システムコントローラ９からの指示に基づいて、以上の各動作（アクセス、各種サーボ、データ書込、データ読出の各動作）が実行されるように制御を行う。
【０１９１】
なお、図１７において一点鎖線で囲ったＡ部、Ｂ部は、例えば１チップの回路部として構成できる。
【０１９２】
５．次世代ＭＤ１および次世代ＭＤ２によるディスクの初期化処理について
次世代ＭＤ１および次世代ＭＤ２によるディスクには、上述したように、ＦＡＴ外にＵＩＤ（ユニークＩＤ）が記録され、この記録されたＵＩＤを用いてセキュリティ管理がなされる。次世代ＭＤ１および次世代ＭＤ２に対応したディスクは、原則的には、ディスク上の所定位置、例えばリードイン領域にＵＩＤが予め記録されて出荷される。ＵＩＤが予め記録される位置は、リードイン領域に限られない。例えば、ディスクの初期化後にＵＩＤが書き込まれる位置が固定的であれば、その位置に予め記録しておくこともできる。
【０１９３】
一方、次世代ＭＤ１によるディスクは、現行のＭＤシステムによるディスクを用いることが可能とされている。そのため、ＵＩＤが記録されずに既に出回っている、多数の現行のＭＤシステムによるディスクが次世代ＭＤ１のディスクとして使用されることになる。
【０１９４】
そこで、このような、ＵＩＤが記録されずに出回ってしまった現行のＭＤシステムによるディスクに対しては、規格にて守られたエリアを設け、当該ディスクの初期化時にそのエリアにディスクドライブ装置１において乱数信号を記録し、これを当該ディスクのＵＩＤとして用いる。また、ユーザがこのＵＩＤが記録されたエリアにアクセスすることは、規格により禁止する。なお、ＵＩＤは、乱数信号に限定されない。例えば、メーカーコード、機器コード、機器シリアル番号および乱数を組み合わせて、ＵＩＤとして用いることができる。さらに、メーカーコード、機器コードおよび機器シリアル番号の何れかまたは複数と、乱数とを組み合わせて、ＵＩＤとして用いることもできる。
【０１９５】
図１８は、次世代ＭＤ１によるディスクの一例の初期化処理を示すフローチャートである。最初のステップＳ１００で、ディスク上の所定位置がアクセスされ、ＵＩＤが記録されているかどうかが確認される。ＵＩＤが記録されていると判断されれば、そのＵＩＤが読み出され、例えば補助メモリ５に一時的に記憶される。
【０１９６】
ステップＳ１００でアクセスされる位置は、例えばリードイン領域のような、次世代ＭＤ１システムによるフォーマットのＦＡＴ領域外である。当該ディスク９０が、例えば過去に初期化されたことがあるディスクのように、既にＤＤＴが設けられていれば、その領域をアクセスするようにしてもよい。なお、このステップＳ１００の処理は、省略することが可能である。
【０１９７】
次に、ステップＳ１０１で、Ｕ−ＴＯＣがＥＦＭ変調により記録される。このとき、Ｕ−ＴＯＣに対して、アラートトラックと、上述の図２におけるＤＤＴ以降のトラック、すなわち１−７ｐｐ変調でデータが変調されて記録される領域とを確保する情報が書き込まれる。次のステップＳ１０２で、ステップＳ１０１でＵ−ＴＯＣにより確保された領域に対して、アラートトラックがＥＦＭ変調により記録される。そして、ステップＳ１０３で、ＤＤＴが１−７ｐｐ変調により記録される。
【０１９８】
ステップＳ１０４では、ＵＩＤがＦＡＴ外の領域、例えばＤＤＴ内に記録される。上述のステップＳ１００で、ＵＩＤがディスク上の所定位置から読み出され補助メモリ５に記憶されている場合、そのＵＩＤが記録される。また、上述のステップＳ１００で、ディスク上の所定位置にＵＩＤが記録されていないと判断されていた場合、または、上述のステップＳ１００が省略された場合には、乱数信号に基づきＵＩＤが生成され、この生成されたＵＩＤが記録される。ＵＩＤの生成は、例えばシステムコントローラ９によりなされ、生成されたＵＩＤがメモリ転送コントローラ３を介してメディアドライブ２に供給され、ディスク９０に記録される。
【０１９９】
次に、ステップＳ１０５で、ＦＡＴなどのデータが、１−７ｐｐ変調でデータが変調されて記録される領域に対して記録される。すなわち、ＵＩＤの記録される領域は、ＦＡＴ外の領域になる。また、上述したように、次世代ＭＤ１においては、ＦＡＴで管理されるべきレコーダブル領域の初期化は、必ずしも必要ではない。
【０２００】
図１９は、次世代ＭＤ２によるディスクの一例の初期化処理を示すフローチャートである。最初のステップＳ１１０で、予めＵＩＤが書き込まれている所定位置、例えばリードイン領域や、当該ディスク９０が過去に初期化されたことがあるディスクであれば、過去の初期化の際に設けられたＤＤＴなどがアクセスされ、ＵＩＤが記録されているかどうかが確認される。ＵＩＤが記録されていると判断されれば、そのＵＩＤが読み出され、例えば補助メモリ５に一時的に記憶される。なお、ＵＩＤの記録位置は、フォーマット上で固定的に決められているので、ディスク上の他の管理情報を参照することなく、直接的にアクセス可能とされる。これは、上述の図１８を用いて説明した処理にも適用することができる。
【０２０１】
次のステップＳ１１１で、ＤＤＴが１−７ｐｐ変調で記録される。次に、ステップＳ１１２で、ＵＩＤがＦＡＴ外の領域、例えばＤＤＴに記録される。このとき記録されるＵＩＤは、上述のステップＳ１１０でディスク上の所定位置から読み出され補助メモリ５に記憶されたＵＩＤが用いられる。ここで、上述のステップＳ１１０で、ディスク上の所定位置にＵＩＤが記録されていないと判断されていた場合には、乱数信号に基づきＵＩＤが生成され、この生成されたＵＩＤが記録される。ＵＩＤの生成は、例えばシステムコントローラ９によりなされ、生成されたＵＩＤがメモリ転送コントローラ３を介してメディアドライブ２に供給され、ディスク９０に記録される。
【０２０２】
そして、ステップＳ１１３で、ＦＡＴなどが記録される。すなわち、ＵＩＤの記録される領域は、ＦＡＴ外の領域になる。また、上述したように、次世代ＭＤ２においては、ＦＡＴで管理されるべきレコーダブル領域の初期化は、行われない。
【０２０３】
６．音楽データの第１の管理方式について
前述したように、この発明が適用された次世代ＭＤ１および次世代ＭＤ２のシステムでは、ＦＡＴシステムでデータが管理される。また、記録されるオーディオデータは、所望の圧縮方式で圧縮され、著作者の権利の保護のために、暗号化される。オーディオデータの圧縮方式としては、例えば、ＡＴＲＡＣ３、ＡＴＲＡＣ５等を用いることが考えられている。勿論、ＭＰ３（ＭＰＥＧ１　Ａｕｄｉｏ　Ｌａｙｅｒ−３　）やＡＡＣ（ＭＰＥＧ２　Ａｄｖａｎｃｅｄ　Ａｕｄｉｏ　Ｃｏｄｉｎｇ　）等、それ以外の圧縮方式を用いることも可能である。また、オーディオデータばかりでなく、静止画データや動画データを扱うことも可能である。勿論、ＦＡＴシステムを使っているので、汎用のデータの記録再生を行うこともできる。更に、コンピュータが読み取り可能でかつ実行可能な命令をディスク上に符号化することもでき、従って、ＭＤ１又はＭＤ２は、実行可能ファイルを含むこともできることになる。
【０２０４】
このような次世代ＭＤ１および次世代ＭＤ２の仕様のディスクにオーディオデータを記録再生するときの管理方式について説明する。
【０２０５】
次世代ＭＤ１のシステムや次世代ＭＤ２のシステムでは、長時間で高音質の音楽データが再生できるようにしたことから、１枚のディスクで管理される楽曲の数も、膨大になっている。また、ＦＡＴシステムを使って管理することで、コンピュータとの親和性が図られている。このことは、本願発明者の認識によれば、使い勝手の向上が図れるというメリットがある反面、音楽データが違法にコピーされてしまい、著作権者の保護が図られなくなる可能性がある。この発明が適用された管理システムでは、このような点に配慮が配られている。
【０２０６】
図２８は、オーディオデータの管理方式の第１の例である。図２８に示すように、第１の例における管理方式では、ディスク上には、トラックインデックスファイルと、オーディオデータファイルとが生成される。トラックインデックスファイルおよびオーディオデータファイルは、ＦＡＴシステムで管理されるファイルである。
【０２０７】
オーディオデータファイルは、図２９に示すように、複数の音楽データが１つのファイルとして納められたものであり、ＦＡＴシステムでオーディオデータファイルを見ると、巨大なファイルに見える。オーディオデータファイルは、その内部がパーツとして区切られ、オーディオデータは、パーツの集合として扱われる。
【０２０８】
トラックインデックスファイルは、オーディオデータファイルに納められた音楽データを管理するための各種の情報が記述されたファイルである。トラックインデックスファイルは、図３０に示すように、プレイオーダテーブルと、プログラムドプレイオーダテーブルと、グループインフォメーションテーブルと、トラックインフォメーションテーブルと、パーツインフォメーションテーブルと、ネームテーブルとからなる。
【０２０９】
プレイオーダテーブルは、デフォルトで定義された再生順序を示すテーブルである。プレイオーダテーブルは、図３１に示すように、各トラックナンバ（曲番）についてのトラックインフォメーションテーブルのトラックデスクリプタ（図３４）へのリンク先を示す情報ＴＩＮＦ１、ＴＩＮＦ２、…が格納されている。トラックナンバは、例えば「１」から始まる連続したナンバである。
【０２１０】
プログラムドプレイオーダテーブルは、再生手順を各ユーザが定義したテーブルである。プログラムドプレイオーダテーブルには、図３２に示すように、各トラックナンバについてのトラックデスクリプタへのリンク先の情報トラック情報ＰＩＮＦ１、ＰＩＮＦ２、…が記述されている。
【０２１１】
グループインフォメーションテーブルには、図３３に示すように、グループに関する情報が記述されている。グループは、連続したトラックナンバを持つ１　つ以上のトラックの集合、または連続したプログラムドトラックナンバを持つ１　つ以上のトラックの集合である。グループインフォメーションテーブルは、図３３Ａに示すように、各グループのグループデスクリプタで記述されている。グループデスクリプタには、図３３Ｂに示すように、そのグループが開始されるトラックナンバと、終了トラックのナンバと、グループネームと、フラグが記述される。
【０２１２】
トラックインフォメーションテーブルは、図３４に示すように、各曲に関する情報が記述される。トラックインフォメーションテーブルは、図３４Ａに示すように、各トラック毎（各曲毎）のトラックデスクリプタからなる。各トラックデスクリプタには、図３４Ｂに示すように、符号化方式、著作権管理情報、コンテンツの復号鍵情報、その楽曲が開始するエントリとなるパーツナンバへのポインタ情報、アーチストネーム、タイトルネーム、元曲順情報、録音時間情報等が記述されている。アーチストネーム、タイトルネームは、ネームそのものではなく、ネームテーブルへのポインタ情報が記述されている。符号化方式は、コーデックの方式を示すもので、復号情報となる。
【０２１３】
パーツインフォメーションテーブルは、図３５に示すように、パーツナンバから実際の楽曲の位置をアクセスするポインタが記述されている。パーツインフォメーションテーブルは、図３５Ａに示すように、各パーツ毎のパーツデスクリプタからなる。パーツとは、１トラック（楽曲）の全部、または１トラックを分割した各パーツである。図３５Ｂは、パーツインフォメーションテーブル内のパーツデスクリプタのエントリを示している。各パーツデスクリプタは、図３５Ｂに示すように、オーディオデータファイル上のそのパーツの先頭のアドレスと、そのパーツの終了のアドレスと、そのパーツに続くパーツへのリンク先とが記述される。
【０２１４】
なお、パーツナンバのポインタ情報、ネームテーブルのポインタ情報、オーディオファイルの位置を示すポインタ情報として用いるアドレスとしては、ファイルのバイトオフセット、パーツデスクリプタナンバ、ＦＡＴのクラスタナンバ、記録媒体として用いられるディスクの物理アドレス等を用いることができる。ファイルのバイトオフセットは、この発明において実施されうるオフセット方法のうちの特定の実施態様である。ここで、パーツポインタ情報は、オーディオファイルの開始からのオフセット値であり、その値は所定の単位（例えば、バイト、ビット、ｎビットのブロック）で表される。
【０２１５】
ネームテーブルは、ネームの実体となる文字を表すためのテーブルである。ネームテーブルは、図３６Ａに示すように、複数のネームスロットからなる。各ネームスロットは、ネームを示す各ポインタからリンクされて呼び出される。ネームを呼び出すポインタは、トラックインフォメーションテーブルのアーチストネームやタイトルネーム、グループインフォメーションテーブルのグループネーム等がある。また、各ネームスロットは、複数から呼び出されることが可能である。各ネームスロットは、図３６Ｂに示すように、文字情報であるネームデータと、この文字情報の属性であるネームタイプと、リンク先とからなる。１つのネームスロットで収まらないような長いネームは、複数のネームスロットに分割して記述することが可能である。そして、１つのネームスロットで収まらない場合には、それに続くネームが記述されたネームスロットへのリンク先が記述される。
【０２１６】
この発明が適用されたシステムにおけるオーディオデータの管理方式の第１の例では、図３７に示すように、プレイオーダテーブル（図３１）により、再生するトラックナンバが指定されると、トラックインフォメーションテーブルのリンク先のトラックデスクリプタ（図３４）が読み出され、このトラックデスクリプタから、符号化方式、著作権管理情報、コンテンツの復号鍵情報、その楽曲が開始するパーツナンバへのポインタ情報、アーチストネームおよびタイトルネームのポインタ、元曲順情報、録音時間情報等が読み出される。
【０２１７】
トラックインフォメーションテーブルから読み出されたパーツナンバの情報から、パーツインフォメーションテーブル（図３５）にリンクされ、このパーツインフォメーションテーブルから、そのトラック（楽曲）の開始位置に対応するパーツの位置のオーディオデータファイルがアクセスされる。オーディオデータファイルのパーツインフォメーションテーブルで指定される位置のパーツのデータがアクセスされたら、その位置から、オーディオデータの再生が開始される。このとき、トラックインフォメーションテーブルのトラックデスクリプタから読み出された符号化方式に基づいて復号化が行われる。オーディオデータが暗号化されている場合には、トラックデスクリプタから読み出された鍵情報が使われる。
【０２１８】
そのパーツに続くパーツがある場合には、そのパーツのリンク先がパーツデスクリプタが記述されており、このリンク先にしたがって、パーツデスクリプタが順に読み出される。このパーツデスクリプタのリンク先を辿っていき、オーディオディデータファイル上で、そのパーツデスクリプタで指定される位置にあるパーツのオーディオデータを再生していくことで、所望のトラック（楽曲）のオーディオディオデータが再生できる。
【０２１９】
また、トラックインフォメーションテーブルから読み出されたアーチストネームやタイトルネームのポインタにより指し示される位置（ネームポインタ情報）にあるネームテーブルのネームスロット（図３６）が呼び出され、その位置にあるネームスロットから、ネームデータが読み出される。ネームポインタ情報は、例えば、ネームスロットナンバ、ＦＡＴシステムにおけるクラスタナンバ、または記録媒体の物理アドレスであってもよい。
【０２２０】
なお、前述したように、ネームテーブルのネームスロットは、複数参照が可能である。例えば、同一のアーチストの楽曲を複数記録するような場合がある。この場合、図３８に示すように、複数のトラックインフォメーションテーブルからアーチストネームとして同一のネームテーブルが参照される。図３８の例では、トラックデスクリプタ「１」とトラックデスクリプタ「２」とトラックデスクリプタ「４」は、全て同一のアーチスト「ＤＥＦ　ＢＡＮＤ」の楽曲であり、アーチストネームとして同一のネームスロットを参照している。また、トラックデスクリプタ「３」とトラックデスクリプタ「５」とトラックデスクリプタ「６」は、全て同位置のアーチスト「ＧＨＱ　ＧＩＲＬＳ」の楽曲であり、アーチストネームとして同一のネームスロットを参照している。このように、ネームテーブルのネームスロットを、複数のポインタから参照可能にしておくと、ネームテーブルの容量を節約できる。
【０２２１】
これとともに、例えば、同一のアーチストネームの情報を表示するのに、こののネームテーブルへのリンクが利用できる。例えば、アーチスト名が「ＤＥＦ　ＢＡＮＤ」の楽曲の一覧を表示したいような場合には、「ＤＥＦ　ＢＡＮＤ」のネームスロットのアドレスを参照しているトラックデスクリプタが辿られる。この例では、「ＤＥＦ　ＢＡＮＤ」のネームスロットのアドレスを参照しているトラックデスクリプタを辿ることにより、トラックデスクリプタ「１」とトラックデスクリプタ「２」とトラックデスクリプタ「４」の情報が得られる。これにより、このディスクに納められている楽曲の中で、アーチスト名が「ＤＥＦ　ＢＡＮＤ」の楽曲の一覧が表示できる。なお、ネームテーブルは複数参照が可能とされるため、ネームテーブルからトラックインフォメーションテーブルを逆に辿るリンクは設けられていない。
【０２２２】
新たにオーディオデータを記録する場合には、ＦＡＴテーブルにより、所望の数のレコーディングブロック以上、例えば、４つのレコーディングブロック以上連続した未使用領域が用意される。所望のレコーディングブロック以上連続した領域を確保するのは、なるべく連続した領域にオーディオデータを記録した方がアクセスに無駄がないためである。
【０２２３】
オーディオデータを記録するための領域が用意されたら、新しいトラックデスクリプターがトラックインフォメーションテーブル上に１つ割り当てられ、このオーディオディデータを暗号化するためのコンテンツの鍵が生成される。そして、入力されたオーディオデータが暗号化され、用意された未使用領域に、暗号化されたオーディオデータが記録される。このオーディオデータが記録された領域がＦＡＴのファイルシステム上でオーディオデータファイルの最後尾に連結される。
【０２２４】
新たなオーディオデータがオーディオデータファイルに連結されたのに伴い、この連結された位置の情報が作成され、新たに確保されたパーツデスクリプションに、新たに作成されたオーディオデータの位置情報が記録される。そして、新たに確保されたトラックデスクリプターに、鍵情報やパーツナンバが記述される。更に、必要に応じて、ネームスロットにアーチストネームやタイトルネーム等が記述され、トラックデスクリプターに、そのネームスロットにアーチストネームやタイトルネームにリンクするポインタが記述される。そして、プレイオーダーテーブルに、そのトラックデスクリプターのナンバが登録される。また著作権管理情報の更新がなされる。
【０２２５】
オーディオデータを再生する場合には、プレイオーダーテーブルから、指定されたトラックナンバに対応する情報が求められ、再生すべきトラックのトラックデスクリプタが取得される。
【０２２６】
トラックインフォメーションテーブルのそのトラックデスクリプタから、鍵情報が取得され、また、エントリのデータが格納されている領域を示すパーツデスクリプションが取得される。そのパーツデスクリプションから、所望のオーディオデータが格納されているパーツの先頭のオーディオデータファイル上の位置が取得され、その位置に格納されているデータが取り出される。そして、その位置から再生されるデータに対して、取得された鍵情報を用いて暗号が解読され、オーディオデータの再生がなされる。パーツデスクリプションにリンクがある場合には、指定されてパーツにリンクされて、同様の手順が繰り返される。
【０２２７】
プレイオーダテーブル上で、トラックナンバ「ｎ」であった楽曲を、トラックナンバ「ｎ＋ｍ」に変更する場合には、プレイオーダテーブル内のトラック情報ＴＩＮＦｎから、そのトラックの情報が記述されているトラックデスクリプターＤｎが得られる。トラック情報ＴＩＮＦｎ＋１からＴＩＮＦｎ＋ｍの値（トラックデスクリプターナンバ）が全て１つ前に移動される。そして、トラック情報ＴＩＮＦｎ＋ｍに、トラックデスクリプターＤｎのナンバが格納される。
【０２２８】
プレイオーダテーブルで、トラックナンバ「ｎ」であった楽曲を削除する場合には、プレイオーダテーブル内のトラック情報ＴＩＮＦｎから、そのトラック　の情報が記述されているトラックデスクリプタＤｎが取得される。プレイオーダテーブル内のトラック情報のエントリ、ＴＩＮＦｎ＋１から後の有効なトラックデスクリプタナンバが全て１つ前に移動される。更に、トラック「ｎ」は、消されるべきものなので、トラック「ｎ」の後の全てのトラック情報のエントリが、プレイオーダテーブル内で１つ前に移動される。前記トラックの消去に伴って取得されたトラックデスクリプタＤｎから、トラックインフォメーションテーブルで、そのトラックに対応する符号化方式、復号鍵が取得れるとともに、先頭の音楽データが格納されている領域を示すパーツデスクリプタＰｎのナンバが取得される。パーツデスクリプタＰｎによって指定された範囲のオーディオブロックが、ＦＡＴのファイルシステム上で、オーディオデータファイルから切り離される。更に、このトラックインフォメーションテーブルのそのトラックのトラックデスクリプタＤｎが消去される。そして、パーツデスクリプタがパーツインフォメーションテーブルから消去され、ファイルシステムでそのパーツデスクリプションが解放される。
【０２２９】
例えば、図３９Ａにおいて、パーツＡ、パーツＢ、パーツＣはそれまで連結しており、その中から、パーツＢを削除するものとする。パーツＡパーツＢは同じオーディオブロックを（かつ同じＦＡＴクラスタを）共有しており、ＦＡＴチェーンが連続しているとする。パーツＣは、オーディオデータファイルの中ではパーツＢの直後に位置しているが、ＦＡＴテーブルを調べると、実際には離れた位置にあるとする。
【０２３０】
この例の場合には、図３９Ｂに示すように、パーツＢを削除したときに、実際にＦＡＴチェーンから外す（空き領域に戻す）ことができるのは、現行のパーツとクラスタを共有していない、２つのＦＡＴクラスタである。すなわち、オーディオデータファイルとしては４オーディオブロックに短縮される。パーツＣおよびそれ以降にあるパーツに記録されているオーディオブロックのナンバは、これに伴い全て４だけ小さくなる。
【０２３１】
なお、削除は、１トラック全てではなく、そのトラックの一部に対して行うことができる。トラックの一部が削除された場合には、残りのトラックの情報は、トラックインフォメーションテーブルでそのパーツデスクリプタＰｎから取得されたそのトラックに対応する符号化方式、復号鍵を使って復号することが可能である。
【０２３２】
プレイオーダテーブル上のトラックｎとトラックｎ＋１とを連結する場合には、プレイオーダテーブル内のトラック情報ＴＩＮＦｎから、そのトラックの情報が記述されているトラックデスクリプタナンバＤｎが取得される。また、プレイオーダテーブル内のトラック情報ＴＩＮＦｎ＋１から、そのトラックの情報が記述されているトラックデスクリプタナンバＤｍが取得される。プレイオーダテーブル内のＴＩＮＦｎ＋１から後の有効なＴＩＮＦの値（トラックデスクリプタナンバ）が全て１つ前のＴＩＮＦに移動される。プログラムドプレイオーダテーブルを検索して、トラックデスクリプタＤｍを参照しているトラックが全て削除される。新たな暗号化鍵を発生させ、トラックデスクリプタＤｎから、パーツデスクリプタのリストが取り出され、そのパーツデスクリプタのリストの最後尾に、トラックデスクリプタＤｍから取り出したパーツデスクリプタのリストが連結される。
【０２３３】
トラックを連結する場合には、双方のトラックデスクリプタを比較して、著作権管理上問題のないことを確認し、トラックデスクリプタからパーツデスクリプタを得て、双方のトラックを連結した場合にフラグメントに関する規定が満たされるかどうか、ＦＡＴテーブルで確認する必要がある。また、必要に応じて、ネームテーブルへのポインタの更新を行う必要がある。
【０２３４】
トラックｎを、トラックｎとトラックｎ＋１に分割する場合には、プレイオーダテーブル内のＴＩＮＦｎから、そのトラックの情報が記述されているトラックデスクリプタナンバＤｎが取得される。プレイオーダテーブル内のトラック情報ＴＩＮＦｎ＋１から、そのトラックの情報が記述されているトラックデスクリプタナンバＤｍ取得される。そして、プレイオーダテーブル内のＴＩＮＦｎ＋１から後の有効なトラック情報ＴＩＮＦの値（トラックデスクリプタナンバ）が、全て１つ後に移動される。トラックデスクリプタＤｎについて、新しい鍵が生成される。トラックデスクリプタＤｎから、パーツデスクリプタのリストが取り出される。新たなパーツデスクリプタが割り当てられ、分割前のパーツデスクリプタの内容がそこにコピーされる。分割点の含まれるパーツデスクリプタが、分割点の直前までに短縮される。また分割点以降のパーツデスクリプタのリンクが打ち切られる。新たなパーツデスクリプタが分割点の直後に設定される。
【０２３５】
７．音楽データの管理方式の第２の例
次に、オーディオデータの管理方式の第２の例について説明する。図４０は、オーディオデータの管理方式の第２の例である。図４０に示すように、第２の例における管理方式では、ディスク上には、トラックインデックスファイルと、複数のオーディオデータファイルとが生成される。トラックインデックスファイルおよび複数のオーディオデータファイルは、ＦＡＴシステムで管理されるファイルである。
【０２３６】
オーディオデータファイルは、図４１に示すように、原則的には１曲が１ファイルの音楽データが納められたものである。このオーディオデータファイルには、ヘッダが設けられている。ヘッダには、タイトルと、復号鍵情報と、著作権管理情報とが記録されるとともに、インデック情報が設けられる。インデックスは、１つのトラックの楽曲を複数に分割するものである。ヘッダには、インデックスにより分割された各トラックの位置がインデックスナンバに対応して記録される。インデックスは、例えば、２５５箇設定できる。
【０２３７】
トラックインデックスファイルは、オーディオデータファイルに納められた音楽データを管理するための各種の情報が記述されたファイルである。トラックインデックスファイルは、図４２に示すように、プレイオーダテーブルと、プログラムドプレイオーダテーブルと、グループインフォメーションテーブルと、トラックインフォメーションテーブルと、ネームテーブルとからなる。
【０２３８】
プレイオーダテーブルは、デフォルトで定義された再生順序を示すテーブルである。プレイオーダテーブルは、図４３に示すように、各トラックナンバ（曲番）についてのトラックインフォメーションテーブルのトラックデスクリプタ（図４６）へのリンク先を示す情報ＴＩＮＦ１、ＴＩＮＦ２、…が格納されている。トラックナンバは、例えば「１」から始まる連続したナンバである。
【０２３９】
プログラムドプレイオーダテーブルは、再生手順を各ユーザが定義したテーブルである。プログラムドプレイオーダテーブルには、図４４に示すように、各トラックナンバについてのトラックデスクリプタへのリンク先の情報トラック情報ＰＩＮＦ１、ＰＩＮＦ２、…が記述されている。
【０２４０】
グループインフォメーションテーブルには、図４５に示すように、グループに関する情報が記述されている。グループは、連続したトラックナンバを持つ１つ以上のトラックの集合、または連続したプログラムドトラックナンバを持つ１つ以上のトラックの集合である。グループインフォメーションテーブルは、図４５Ａに示すように、各グループのグループデスクリプタで記述されている。グループデスクリプタには、図４５Ｂに示すように、そのグループが開始されるトラックナンバと、終了トラックのナンバと、グループネームと、フラグが記述される。
【０２４１】
トラックインフォメーションテーブルは、図４６に示すように、各曲に関する情報が記述される。トラックインフォメーションテーブルは、図４６Ａに示すように、各トラック毎（各曲毎）のトラックデスクリプタからなる。各トラックデスクリプタには、図４６Ｂに示すように、その楽曲が納められているオーディオデータファイルのファイルのポインタ、インデックスナンバ、アーチストネーム、タイトルネーム、元曲順情報、録音時間情報等が記述されている。アーチストネーム、タイトルネームは、ネームそのものではなく、ネームテーブルへのポインタが記述されている。
【０２４２】
ネームテーブルは、ネームの実体となる文字を表すためのテーブルである。ネームテーブルは、図４７Ａに示すように、複数のネームスロットからなる。各ネームスロットは、ネームを示す各ポインタからリンクされて呼び出される。ネームを呼び出すポインタは、トラックインフォメーションテーブルのアーチストネームやタイトルネーム、グループインフォメーションテーブルのグループネーム等がある。また、各ネームスロットは、複数から呼び出されることが可能である。各ネームスロットは、図４７Ｂに示すように、ネームデータと、ネームタイプと、リンク先とからなる。１つのネームスロットで収まらないような長いネームは、複数のネームスロットに分割して記述することが可能である。そして、１つのネームスロットで収まらない場合には、それに続くネームが記述されたネームスロットへのリンク先が記述される。
【０２４３】
オーディオデータの管理方式の第２の例では、図４８に示すように、プレイオーダテーブル（図４３）により、再生するトラックナンバが指定されると、トラックインフォメーションテーブルのリンク先のトラックデスクリプタ（図４６）が読み出され、このトラックデスクリプタから、その楽曲のファイルポインタおよびインデックスナンバ、アーチストネームおよびタイトルネームのポインタ、元曲順情報、録音時間情報等が読み出される。
【０２４４】
その楽曲のファイルのポインタから、そのオーディオデータファイルがアクセスされ、そのオーディオデータファイルのヘッダの情報が読み取られる。オーディオデータが暗号化されている場合には、ヘッダから読み出された鍵情報が使われる。そして、そのオーディオデータファイルが再生される。このとき、もし、インデックスナンバが指定されている場合には、ヘッダの情報から、指定されたインデックスナンバの位置が検出され、そのインデックスナンバの位置から、再生が開始される。
【０２４５】
また、トラックインフォメーションテーブルから読み出されたアーチストネームやタイトルネームのポインタにより指し示される位置にあるネームテーブルのネームスロットが呼び出され、その位置にあるネームスロットから、ネームデータが読み出される。
【０２４６】
新たにオーディオデータを記録する場合には、ＦＡＴテーブルにより、所望の数のレコーディングブロック以上、例えば、４つのレコーディングブロック以上連続した未使用領域が用意される。
【０２４７】
オーディオデータを記録するための領域が用意されたら、トラックインフォメーションテーブルに新しいトラックデスクリプタが１つ割り当てられ、このオーディオディデータを暗号化するためのコンテンツ鍵が生成される。そして、入力されたオーディオデータが暗号化され、オーディオデータファイルが生成される。
【０２４８】
新たに確保されたトラックデスクリプタに、新たに生成されたオーディオデータファイルのファイルポインタや、鍵情報が記述される。更に、必要に応じて、ネームスロットにアーチストネームやタイトルネーム等が記述され、トラックデスクリプターに、そのネームスロットにアーチストネームやタイトルネームにリンクするポインタが記述される。そして、プレイオーダーテーブルに、そのトラックデスクリプターのナンバが登録される。また著作権管理情報の更新がなされる。
【０２４９】
オーディオデータを再生する場合には、プレイオーダーテーブルから、指定されたトラックナンバに対応する情報が求められ、トラックインフォメーションテーブルの再生すべきトラックのトラックデスクリプタが取得される。
【０２５０】
そのトラックデスクリプタから、またその音楽データが格納されているオーディオデータのファイルポインタおよびインデックスナンバが取得される。そして、そのオーディオデータファイルがアクセスされ、ファイルのヘッダから、鍵情報が取得される。そして、そのオーディオデータファイルのデータに対して、取得された鍵情報を用いて暗号が解読され、オーディオデータの再生がなされる。インデックスナンバが指定されている場合には、指定されたインデックスナンバの位置から、再生が開始される。
【０２５１】
トラックｎを、トラックｎとトラックｎ＋１に分割する場合には、プレイオーダテーブル内のＴＩＮＦｎから、そのトラックの情報が記述されているトラックデスクリプタナンバＤｎが取得される。プレイオーダテーブル内のトラック情報ＴＩＮＦｎ＋１から、そのトラックの情報が記述されているトラックデスクリプタナンバＤｍが取得される。そして、プレイオーダテーブル内のＴＩＮＦｎ＋１から後の有効なトラック情報ＴＩＮＦの値（トラックデスクリプタナンバ）が、全て１つ後に移動される。
【０２５２】
図４９に示すように、インデックスを使うことにより、１つのファイルのデータは、複数のインデックス領域に分けられる。このインデックスナンバとインデックス領域の位置がそのオーディオトラックファイルのヘッダに記録される。トラックデスクリプタＤｎに、オーディオデータのファイルポインタと、インデックスナンバが記述される。トラックデスクリプタＤｍに、オーディオデータのファイルポインタと、インデックスナンバが記述される。これにより、オーディオファイルの１つのトラックの楽曲Ｍ１は、見かけ上、２つのトラックの楽曲Ｍ１１とＭ１２とに分割される。
【０２５３】
プレイオーダテーブル上のトラックｎとトラックｎ＋１とを連結する場合には、プレイオーダテーブル内のトラック情報ＴＩＮＦｎから、そのトラックの情報が記述されているトラックデスクリプタナンバＤｎが取得される。また、プレイオーダテーブル内のトラック情報ＴＩＮＦｎ＋１から、そのトラックの情報が記述されているトラックデスクリプタナンバＤｍが取得される。プレイオーダテーブル内のＴＩＮＦｎ＋１から後の有効なＴＩＮＦの値（トラックデスクリプタナンバ）が全て１つ前に移動される。
【０２５４】
ここで、トラックｎとトラックｎ＋１とが同一のオーディオデータファイル内にあり、インデックスで分割されている場合には、図５０に示すように、ヘッダのインデックス情報を削除することで、連結が可能である。これにより、２つのトラックの楽曲Ｍ２１とＭ２２は、１つのトラックの楽曲Ｍ２３に連結される。
【０２５５】
トラックｎが１つのオーディオデータファイルをインデックスで分割した後半であり、トラックｎ＋１が別のオーディオデータファイルの先頭にある場合には、図５１に示すように、インデックスで分割されていたトラックｎのデータにヘッダが付加され、楽曲Ｍ３２のオーディオデータファイルが生成される。これに、トラックｎ＋１のオーディオデータファイルのヘッダが取り除かれ、この楽曲Ｍ４１のトラックｎ＋１のオーディオデータが連結される。これにより、２つのトラックの楽曲Ｍ３２とＭ４１は、１つのトラックの楽曲Ｍ５１として連結される。
【０２５６】
以上の処理を実現するために、インデックスで分割されていたトラックに対して、ヘッダを付加し、別の暗号鍵で暗号化して、インデックスによるオーディオディデータを１つのオーディオデータファイルに変換する機能と、オーディオデータファイルのヘッダを除いて、他のオーディオデータファイルに連結する機能が持たされている。
【０２５７】
８．パーソナルコンピュータとの接続時の動作について
次世代ＭＤ１および次世代ＭＤ２では、パーソナルコンピュータとの親和性を持たせるために、データの管理システムとしてＦＡＴシステムが採用されている。したがって、次世代ＭＤ１および次世代ＭＤ２によるディスクは、オーディオデータのみならず、パーソナルコンピュータで一般的に扱われるデータの読み書きにも対応している。
【０２５８】
ここで、ディスクドライブ装置１において、オーディオデータは、ディスク９０上から読み出されつつ、再生される。そのため、特に携帯型のディスクドライブ装置１のアクセス性を考慮に入れると、一連のオーディオデータは、ディスク上に連続的に記録されることが好ましい。一方、パーソナルコンピュータによる一般的なデータ書き込みは、このような連続性を考慮せず、ディスク上の空き領域を適宜、割り当てて行われる。
【０２５９】
そこで、この発明が適用された記録再生装置では、パーソナルコンピュータ１００とディスクドライブ装置１とをＵＳＢハブ７によって接続し、パーソナルコンピュータ１００からディスクドライブ装置１に装着されたディスク９０に対する書き込みを行う場合において、一般的なデータの書き込みは、パーソナルコンピュータ側のファイルシステムの管理下で行われ、オーディオデータの書き込みは、ディスクドライブ装置１側のファイルシステムの管理下で行われるようにしている。
【０２６０】
図５２は、このように、パーソナルコンピュータ１００とディスクドライブ装置１とが図示されないＵＳＢハブ７で接続された状態で、書き込むデータの種類により管理権限を移動させることを説明するための図である。図５２Ａは、パーソナルコンピュータ１００からディスクドライブ装置１に一般的なデータを転送し、ディスクドライブ装置１に装着されたディスク９０に記録する例を示す。この場合には、パーソナルコンピュータ１００側のファイルシステムにより、ディスク９０上のＦＡＴ管理がなされる。
【０２６１】
なお、ディスク９０は、次世代ＭＤ１および次世代ＭＤ２の何れかのシステムでフォーマットされたディスクであるとする。
【０２６２】
すなわち、パーソナルコンピュータ１００側では、接続されたディスクドライブ装置１がパーソナルコンピュータ１００により管理される一つのリムーバブルディスクのように見える。したがって、例えばパーソナルコンピュータ１００においてフレキシブルディスクに対するデータの読み書きを行うように、ディスクドライブ装置１に装着されたディスク９０に対するデータの読み書きを行うことができる。
【０２６３】
なお、このようなパーソナルコンピュータ１００側のファイルシステムは、パーソナルコンピュータ１００に搭載される基本ソフトウェアであるＯＳ（Ｏｐｅｒａｔｉｎｇ　Ｓｙｓｔｅｍ）の機能として提供することができる。ＯＳは、周知のように、所定のプログラムファイルとして、例えばパーソナルコンピュータ１００が有するハードディスクドライブに記録される。このプログラムファイルがパーソナルコンピュータ１００の起動時に読み出され所定に実行されることで、ＯＳとしての各機能を提供可能な状態とされる。
【０２６４】
図５２Ｂは、パーソナルコンピュータ１００からディスクドライブ装置１に対してオーディオデータを転送し、ディスクドライブ装置１に装着されたディスク９０に記録する例を示す。例えば、パーソナルコンピュータ１００において、パーソナルコンピュータ１００が有する例えばハードディスクドライブ（以下、ＨＤＤ）といった記録媒体にオーディオデータが記録されている。
【０２６５】
なお、パーソナルコンピュータ１００には、オーディオデータをＡＴＲＡＣ圧縮エンコードすると共に、ディスクドライブ装置１に対して、装着されたディスク９０へのオーディオデータの書き込みおよびディスク９０に記録されているオーディオデータの削除を要求するユーティリティソフトウェアが搭載されているものとする。このユーティリティソフトウェアは、さらに、ディスクドライブ装置１に装着されたディスク９０のトラックインデックスファイルを参照し、ディスク９０に記録されているトラック情報を閲覧する機能を有する。このユーティリティソフトウェアは、例えばパーソナルコンピュータ１００のＨＤＤにプログラムファイルとして記録される。
【０２６６】
一例として、パーソナルコンピュータ１００の記録媒体に記録されたオーディオデータを、ディスクドライブ装置１に装着されたディスク９０に記録する場合について説明する。上述のユーティリティソフトウェアは、予め起動されているものとする。
【０２６７】
先ず、ユーザにより、パーソナルコンピュータ１００に対して、ＨＤＤに記録された所定のオーディオデータ（オーディオデータＡとする）をディスクドライブ装置１に装着されたディスク９０に記録するよう操作がなされる。この操作に基づき、オーディオデータＡのディスク９０に対する記録を要求する書込要求コマンドが当該ユーティリティソフトウェアにより出力される。書込要求コマンドは、パーソナルコンピュータ１００からディスクドライブ装置１に送信される。
【０２６８】
続けて、パーソナルコンピュータ１００のＨＤＤからオーディオデータＡが読み出される。読み出されたオーディオデータＡは、パーソナルコンピュータ１００に搭載された上述のユーティリティソフトウェアによりＡＴＲＡＣ圧縮エンコード処理が行われ、ＡＴＲＡＣ圧縮データに変換される。このＡＴＲＡＣ圧縮データに変換されたオーディオデータＡは、パーソナルコンピュータ１００からディスクドライブ装置１に対して転送される。
【０２６９】
ディスクドライブ装置１側では、パーソナルコンピュータから送信された書込要求コマンドが受信されることで、ＡＴＲＡＣ圧縮データに変換されたオーディオデータＡがパーソナルコンピュータ１００から転送され、且つ、転送されたデータをオーディオデータとしてディスク９０に記録することが認識される。
【０２７０】
ディスクドライブ装置１では、パーソナルコンピュータ１００から送信されたオーディオデータＡを、ＵＳＢハブ７から受信し、ＵＳＢインターフェイス６およびメモリ転送コントローラ３を介してメディアドライブ部２に送る。システムコントローラ９では、オーディオデータＡをメディアドライブ部２に送る際に、オーディオデータＡがこのディスクドライブ装置１のＦＡＴ管理方法に基づきディスク９０に書き込まれるように制御する。すなわち、オーディオデータＡは、ディスクドライブ装置１のＦＡＴシステムに基づき、４レコーディングブロック、すなわち６４ｋバイト×４を最小の記録長として、レコーディングブロック単位で連続的に書き込まれる。
【０２７１】
なお、ディスク９０へのデータの書き込みが終了するまでの間、パーソナルコンピュータ１００とディスクドライブ装置１との間では、所定のプロトコルでデータやステータス、コマンドのやりとりが行われる。これにより、例えばディスクドライブ装置１側でクラスタバッファ４のオーバーフローやアンダーフローが起こらないように、データ転送速度が制御される。
【０２７２】
パーソナルコンピュータ１００側で使用可能なコマンドの例としては、上述の書込要求コマンドの他に、削除要求コマンドがある。この削除要求コマンドは、ディスクドライブ装置１に装着されたディスク９０に記録されたオーディオデータを削除するように、ディスクドライブ装置１に対して要求するコマンドである。
【０２７３】
例えば、パーソナルコンピュータ１００とディスクドライブ装置１とが接続され、ディスク９０がディスクドライブ装置１に装着されると、上述のユーティリティソフトウェアによりディスク９０上のトラックインデックスファイルが読み出され、読み出されたデータがディスクドライブ装置１からパーソナルコンピュータ１００に送信される。パーソナルコンピュータでは、このデータに基づき、例えばディスク９０に記録されているオーディオデータのタイトル一覧を表示することができる。
【０２７４】
パーソナルコンピュータ１００において、表示されたタイトル一覧に基づきあるオーディオデータ（オーディオデータＢとする）を削除しようとした場合、削除しようとするオーディオデータＢを示す情報が削除要求コマンドと共にディスクドライブ装置１に送信される。ディスクドライブ装置１では、この削除要求コマンドを受信すると、ディスクドライブ装置１自身の制御に基づき、要求されたオーディオデータＢがディスク９０上から削除される。
【０２７５】
オーディオデータの削除がディスクドライブ装置１自身のＦＡＴシステムに基づく制御により行われるため、例えば図３９Ａおよび図３９Ｂを用いて説明したような、複数のオーディオデータが１つのファイルとしてまとめられた巨大ファイル中のあるオーディオデータを削除するような処理も、可能である。
【０２７６】
９．ディスク上に記録されたオーディオデータのコピー制限について
ディスク９０上に記録されたオーディオデータの著作権を保護するためには、ディスク９０上に記録されたオーディオデータの、他の記録媒体などへのコピーに制限を設ける必要がある。例えば、ディスク９０上に記録されたオーディオデータを、ディスクドライブ装置１からパーソナルコンピュータ１００に転送し、パーソナルコンピュータ１００のＨＤＤなどに記録することを考える。
【０２７７】
なお、ここでは、ディスク９０は、次世代ＭＤ１または次世代ＭＤ２のシステムでフォーマットされたディスクであるものとする。また、以下に説明するチェックアウト、チェックインなどの動作は、パーソナルコンピュータ１００上に搭載される上述したユーティリティソフトウェアの管理下で行われるものとする。
【０２７８】
先ず、図５３Ａに示されるように、ディスク９０上に記録されているオーディオデータ２００がパーソナルコンピュータ（ＰＣ）１００にムーブされる。ここでいうムーブは、対象オーディオデータ２００がパーソナルコンピュータ１００にコピーされると共に、対象オーディオデータが元の記録媒体（ディスク９０）から削除される一連の動作をいう。すなわち、ムーブにより、ムーブ元のデータは削除され、ムーブ先に当該データが移ることになる。
【０２７９】
なお、ある記録媒体から他の記録媒体にデータがコピーされ、コピー元データのコピー許可回数を示すコピー回数権利が１減らされることを、チェックアウトと称する。また、チェックアウトされたデータをチェックアウト先から削除し、チェックアウト元のデータのコピー回数権利を戻すことを、チェックインと称する。
【０２８０】
オーディオデータ２００がパーソナルコンピュータ１００にムーブされると、パーソナルコンピュータ１００の記録媒体、例えばＨＤＤ上に当該オーディオデータ２００が移動され（オーディオデータ２００’）、元のディスク９０から当該オーディオデータ２００が削除される。そして、図５３Ｂに示されるように、パーソナルコンピュータ１００において、ムーブされたオーディオデータ２００’に対して、チェックアウト（ＣＯ）可能（な又は所定の）回数２０１が設定される。ここでは、チェックアウト可能回数２０１は、「●黒丸」で示されるように、３回に設定される。すなわち、当該オーディオデータ２００’は、このパーソナルコンピュータ１００から外部の記録媒体に対して、チェックアウト可能回数２０１に設定された回数だけ、さらにチェックアウトを行うことが許可される。
【０２８１】
ここで、チェックアウトされたオーディオデータ２００が元のディスク９０上から削除されたままだと、ユーザにとって不便であることが考えられる。そこで、パーソナルコンピュータ１００に対してチェックアウトされたオーディオデータ２００’が、ディスク９０に対して書き戻される。
【０２８２】
当該オーディオデータ２００’をパーソナルコンピュータ１００から元のディスク９０に書き戻すときには、図５３Ｃに示されるように、チェックアウト可能回数が１回消費され、チェックアウト可能回数が（３−１＝２）回とされる。このときには、パーソナルコンピュータ１００のオーディオデータ２００’は、チェックアウトできる権利が後２回分、残っているため、パーソナルコンピュータ１００上からは削除されない。すなわち、パーソナルコンピュータ１００上のオーディオデータ２００’は、パーソナルコンピュータからディスク９０にコピーされ、ディスク９０上には、オーディオデータ２００’がコピーされたオーディオデータ２００”が記録されることになる。
【０２８３】
なお、チェックアウト可能回数２０１は、トラックインフォメーションテーブルにおけるトラックデスクリプタの著作権管理情報により管理される（図３４Ｂ参照）。トラックデスクリプタは、各トラック毎に設けられるため、チェックアウト可能回数２０１を各トラック（音楽データ）毎に設定することができる。ディスク９０からパーソナルコンピュータ１００にコピーされたトラックデスクリプタは、パーソナルコンピュータ１００にムーブされた対応するオーディオデータの制御情報として用いられる。
【０２８４】
例えば、ディスク９０からパーソナルコンピュータ１００に対してオーディオデータがムーブされると、ムーブされたオーディオデータに対応したトラックデスクリプタがパーソナルコンピュータ１００にコピーされる。パーソナルコンピュータ１００上では、ディスク９０からムーブされたオーディオデータの管理がこのトラックデスクリプタにより行われる。オーディオデータがムーブされパーソナルコンピュータ１００のＨＤＤなどに記録されるのに伴い、トラックデスクリプタ中の著作権管理情報において、チェックアウト可能回数２０１が規定の回数（この例では３回）に設定される。
【０２８５】
なお、著作権管理情報として、上述のチェックアウト可能回数２０１の他に、チェックアウト元の機器を識別するための機器ＩＤ、チェックアウトされたコンテンツ（オーディオデータ）を識別するためのコンテンツＩＤも管理される。例えば、上述した図５３Ｃの手順では、コピーしようとしているオーディオデータに対応する著作権管理情報中の機器ＩＤに基づき、コピー先の機器の機器ＩＤの認証が行われる。著作権管理情報中の機器ＩＤと、コピー先機器の機器ＩＤとが異なる場合、コピー不可とすることができる。
【０２８６】
上述した図５３Ａ〜図５３Ｃによる一連のチェックアウト処理では、ディスク９０上のオーディオデータを一度パーソナルコンピュータ１００に対してムーブし、再びパーソナルコンピュータ１００からディスク９０に書き戻しているため、ユーザにとっては、手順が煩雑で煩わしく、また、ディスク９０からオーディオデータを読み出す時間と、ディスク９０にオーディオデータを書き戻す時間とがかかるため、時間が無駄に感じられるおそれがある。さらに、ディスク９０上からオーディオデータが一旦削除されてしまうことは、ユーザの感覚に馴染まないことが考えられる。
【０２８７】
そこで、ディスク９０に記録されたオーディオデータのチェックアウト時に、上述の途中の処理を行ったものと見なして省き、図５３Ｃに示される結果だけが実現されることが可能なようにする。その手順の一例を以下に示す。以下に示される手順は、例えば「ディスク９０に記録された××というオーディオデータをチェックアウトせよ」といったような、ユーザからの単一の指示により実行されるものである。
【０２８８】
（１）ディスク９０に記録されているオーディオデータをパーソナルコンピュータ１００のＨＤＤにコピーすると共に、ディスク９０上の当該オーディオデータを、当該オーディオデータの管理データの一部を無効にすることで消去する。例えば、プレイオーダーテーブルから当該オーディオデータに対応するトラックデスクリプタへのリンク情報ＴＩＮＦｎと、プログラムドファイルオーダーテーブルから当該オーディオデータに対応するトラックデスクリプタへのリンク情報ＰＩＮＦｎとを削除する。当該オーディオデータに対応するトラックデスクリプタそのものを削除するようにしてもよい。これにより、当該オーディオデータがディスク９０上で使用不可の状態とされ、当該オーディオデータがディスク９０からパーソナルコンピュータ１００にムーブされたことになる。
【０２８９】
（２）なお、手順（１）において、オーディオデータのパーソナルコンピュータ１００へのコピーの際に、当該オーディオデータに対応するトラックデスクリプタも、共にパーソナルコンピュータ１００のＨＤＤにコピーされる。
【０２９０】
（３）次に、パーソナルコンピュータ１００において、ディスク９０からコピーされた、ムーブされたオーディオデータに対応するトラックデスクリプタにおける著作権管理情報内のチェックアウト可能回数に、規定回数、例えば３回が記録される。
【０２９１】
（４）次に、パーソナルコンピュータ１００において、ディスク９０からコピーされたトラックデスクリプタに基づき、ムーブされたオーディオデータに対応するコンテンツＩＤが取得され、当該コンテンツＩＤがチェックイン可能なオーディオデータを示すコンテンツＩＤとして記録される。
【０２９２】
（５）次に、パーソナルコンピュータ１００において、ムーブされたオーディオデータに対応するトラックデスクリプタにおける著作権管理情報内のチェックアウト可能回数が、上述の手順（３）で設定された規定回数から１だけ減じられる。この例では、チェックアウト可能回数が（３−１＝２）回とされる。
【０２９３】
（６）次に、ディスク９０が装着される図示されないディスクドライブ装置１において、ムーブされたオーディオデータに対応するトラックデスクリプタが有効化される。例えば、上述の手順（１）において削除されたリンク情報ＴＩＮＦｎおよびＰＩＮＦｎをそれぞれ復元または再構築することで、当該オーディオデータに対応するトラックデスクリプタが有効化される。上述の手順（１）において当該オーディオデータに対応するトラックデスクリプタを削除した場合には、当該トラックデスクリプタが再構築される。パーソナルコンピュータ１００上記記録されている、対応するトラックデスクリプタをディスクドライブ装置１に転送し、ディスク９０に記録するようにしてもよい。
【０２９４】
以上の（１）〜（６）の手順により、一連のチェックアウト処理が完了したと見なす。こうすることで、ディスク９０からパーソナルコンピュータ１００へのオーディオデータのコピーがオーディオデータの著作権保護を図りつつ実現されると共に、ユーザの手間を省くことができる。
【０２９５】
なお、この（１）〜（６）の手順によるオーディオデータのコピーは、ユーザがディスクドライブ装置１を用いて、ディスク９０に自分で録音（記録）したオーディオデータに対して適用されるようにすると、好ましい。
【０２９６】
また、チェックアウトされた後でチェックインする際には、パーソナルコンピュータ１００は、自分自身が記録しているオーディオデータおよびトラックデスクリプタ中の制御情報、例えば著作権管理情報を検索し、検索されたオーディオデータおよび制御情報に基づき判断を行い、チェックインを実行する。
【０２９７】
１０．次世代ＭＤ１システムと現行ＭＤシステムとの共存について
次世代ＭＤ１のシステムでは、現行のＭＤシステムで用いられるディスクを使用することができる。一方、次世代ＭＤ１によるディスクのディスクフォーマットは、現行のＭＤシステムによるディスクのフォーマットと大きく異なっている。そのため、同一のディスクドライブ装置１で、これら次世代ＭＤ１によるディスクと現行のＭＤシステムによるディスクとを、ユーザが混乱無く使い分けることができるようにする必要がある。
【０２９８】
図５４は、ディスクドライブ装置１における、次世代ＭＤ１システムと現行のＭＤシステムとの共存の様子を概念的に示す。ディスクドライブ装置１は、入出力されるオーディオ信号として、ディジタル方式およびアナログ方式の両方に対応している。
【０２９９】
次世代ＭＤ１システム７０において、ディジタル方式のオーディオ信号は、所定の方法によりウォーターマークを検出され、暗号化部７２により鍵情報７４を用いて暗号化され、記録／再生部７３に供給される。アナログ方式のオーディオ信号も、図示されないＡ／Ｄ変換部によりディジタル方式のオーディオデータに変換され、ウォーターマークを検出され、同様にして記録／再生部７３に供給される。記録／再生部７３では、暗号化されたオーディオデータがＡＴＲＡＣ方式により圧縮符号化される。圧縮符号化されたオーディオデータは、鍵情報７４と共に１−７ｐｐ変調されて図示されないディスク９０に記録される。
【０３００】
入力されたオーディオ信号から例えばコピー禁止情報が含まれたウォーターマークが検出された場合、検出されたウォーターマークを用いて、記録／再生部７３による記録処理を例えば禁止するように制御できる。
【０３０１】
再生時には、オーディオデータと対応する鍵情報７４とが記録／再生部７３によりディスク９０から再生され、復号化部７５で鍵情報７４を用いて暗号化が解かれ、ディジタル方式のオーディオ信号とされる。このディジタル方式のオーディオ信号は、図示されないＤ／Ａ変換部でアナログ方式のオーディオ信号に変換されて出力される。Ｄ／Ａ変換部を介さずに、ディジタル方式のオーディオ信号として出力することもできる。再生時にも、ディスク９０から再生されたオーディオ信号からウォーターマークを検出してもよい。
【０３０２】
検出されたウォーターマークにコピー禁止情報が含まれている場合、このウォーターマークを用いて、記録／再生部７３による再生処理を例えば禁止するように制御できる。
【０３０３】
一方、現行のＭＤシステム７１において、ディジタル方式のオーディオ信号は、ＳＣＭＳ（Ｓｅｒｉａｌ　Ｃｏｐｙ　Ｍａｎａｇｅｍｅｎｔ　Ｓｙｓｔｅｍ）により世代管理情報を付加され、記録／再生部７６に供給される。アナログ方式のオーディオ信号も、図示されないＡ／Ｄ変換変換部によりディジタル方式のオーディオデータに変換され、記録／再生部７６に供給される。この場合には、ＳＣＭＳによる世代管理情報は、付加されない。記録／再生部７６では、供給されたオーディオデータがＡＴＲＡＣ方式により圧縮符号化され、ＥＦＭ変調されて図示されないディスク９０に記録される。
【０３０４】
再生時には、オーディオデータが記録／再生部７６によりディスク９０から再生され、ディジタル方式のオーディオ信号とされる。このディジタル方式のオーディオ信号が図示されないＤ／Ａ変換部でアナログ方式のオーディオ信号に変換されて出力される。Ｄ／Ａ変換部を介さずに、ディジタル方式のオーディオ信号として出力することもできる。
【０３０５】
このような、次世代ＭＤ１システムと現行ＭＤシステムとが共存されたディスクドライブ装置１において、次世代ＭＤ１システムによる動作モードと、現行ＭＤシステムによる動作モードとを明示的に切り換えるスイッチ５０が設けられる。このスイッチ５０は、特に、ディスク９０に対してオーディオデータを記録する際に、効果的に作用される。
【０３０６】
図５５は、携帯型に構成されたディスクドライブ装置１の一例の外観図である。図５５において後ろ側に隠れる部分にヒンジ部が設けられ、スライダ５２をスライドさせることで、蓋部５４と本体部５５とが開口される。開口部には、ディスク９０を装着するためのガイドが設けられ、このガイドに沿ってディスク９０を挿入し、蓋部５４を閉じることで、ディスク９０がディスクドライブ装置１に装着される。ディスク９０がディスクドライブ装置１に装着されると、ディスクドライブ装置１により、装着されたディスク９０のリードイン領域およびＵ−ＴＯＣが自動的に読み込まれ、ディスク９０の情報が取得される。
【０３０７】
フォンジャック５３は、アナログ方式のオーディオ信号の出力端子である。このフォンジャック５３に、ヘッドフォンなどの音声再生手段に接続されたフォンプラグを挿入することで、ユーザは、ディスク９０から再生されたオーディオデータを音声として楽しむことができる。
【０３０８】
なお、図５５では示されていないが、ディスクドライブ装置１には、装着されたディスク９０の再生、録音、停止、一時停止（ポーズ）、早送りおよび戻しといった、ディスク９０の動作を指示する各種キーや、ディスク９０に記録されているオーディオデータや各種情報をエディットするためのキー、また、ディスクドライブ装置１に対して所定のコマンドやデータを入力するキーなどが、さらに設けられる。これらのキーは、例えば本体部５５側に設けられる。
【０３０９】
ディスクドライブ装置１の蓋部５４に、上述したスイッチ５０が設けられる。スイッチ５０は、ユーザの注意を惹き易いように、例えばこの図５５に示されるように、大型且つ目立つ位置に設けられる。なお、この図５５では、スイッチ５０に対し、現行ＭＤシステムによる動作モードを「ＭＤ」、次世代ＭＤ１システムによる動作モードを「次世代ＭＤ」として表示している。
【０３１０】
蓋部５４には、さらに、ディスプレイ５１が設けられる。このディスプレイ５１には、このディスクドライブ装置１における様々な状態や、ディスクドライブ装置１に装着されたディスク９０に記録されたトラック情報などが表示される。さらに、ディスプレイ５１には、スイッチ５０により設定された動作モードに連動した表示もなされる。
【０３１１】
先ず、ディスク９０のフォーマット時のディスクドライブ装置１の一例の動作について、図５６のフローチャートを用いて説明する。この図５６のフローチャートでは、未使用の所謂ヴァージンディスクが用いられた場合の処理を示す。最初のステップＳ２００で、現行ＭＤシステムによるディスク９０がディスクドライブ装置１に装着される。ディスク９０が装着されると、ステップＳ２０１で、ディスク９０のリードイン領域に続けてＵ−ＴＯＣが読み込まれる。
【０３１２】
次のステップＳ２０２では、ディスクドライブ装置１において、スイッチ５０の設定に基づき、本体の動作モードが現行ＭＤシステムおよび次世代ＭＤ１システムの何れに設定されているかが判断される。若し、本体動作モードが現行ＭＤシステムに設定されていれば、処理はステップＳ２０３に移行する。現行ＭＤシステムでは、ディスクに対するフォーマット処理が不要であるため、ステップＳ２０３では、装着されたディスク９０が現行ＭＤシステムのディスクとして使用可能であると判断され、ディスプレイ５１に、当該ディスク９０がブランクディスクである旨を示す表示がなされる。
【０３１３】
一方、ステップＳ２０２で、本体の動作モードが次世代ＭＤ１システムに設定されていると判断されれば、処理はステップＳ２０４に移行され、ディスプレイ５１に対して、当該ディスク９０がブランクディスクである旨を示す表示がなされる。この表示が例えば数秒間なされた後、処理は自動的にステップＳ２０５に移行される。
【０３１４】
ステップＳ２０５では、ディスプレイ５１に対して、ディスク９０を本当にフォーマットするか否かを確認する内容の表示がなされる。若し、ディスク９０をフォーマットすることがユーザから指示されたら、処理はステップＳ２０６に移行される。なお、ユーザからの指示は、ユーザにより、例えばディスクドライブ装置１の本体部５５に設けられたキーが操作されることで、ディスクドライブ装置１に対して入力される。
【０３１５】
ステップＳ２０６では、ディスクドライブ装置１により、ディスク９０に対して次世代ＭＤ１システムによるフォーマット処理が、上述の図１８に示したフローに従い行われる。フォーマット処理中は、ディスプレイ５１にフォーマット中である旨を示すことを表示すると、好ましい。ステップＳ２０６によるフォーマット処理が終了したら、処理はステップＳ２０７に移行され、ディスプレイ５１に対して、装着されているディスク９０が次世代ＭＤ１システムによるブランクディスクである旨が表示される。
【０３１６】
上述のステップＳ２０５において、若し、ディスク９０をフォーマットしないことがユーザから指示されたら、処理はステップＳ２０８に移行し、ディスクドライブ装置１の動作モードを現行ＭＤシステムによる動作モードに切り換えるようにスイッチ５０を設定することを促す表示が、ディスプレイ５１に表示される。そして、ステップＳ２０９で、ステップＳ２０８の表示のまま所定時間が経過しても、スイッチ５０の設定が切り換えられていないと判断されれば、タイムアウトしたとされ、処理はステップＳ２０５に戻される。
【０３１７】
図５７は、ヴァージンディスクであるディスク９０がディスクドライブ装置１に挿入された場合のフォーマット処理の他の例を示すフローチャートである。ステップＳ３００で、未使用のブランクディスクであるディスク９０がディスクドライブ装置１に挿入されると、次のステップＳ３０１で、ディスク９０のリードイン領域に続けてＵ−ＴＯＣが読み込まれる。読み込まれたＵ−ＴＯＣ情報に基づき、ディスプレイ５１に対して、当該ディスク９０がブランクディスクである旨が表示される（ステップＳ３０２）。
【０３１８】
ステップＳ３０３で、ディスクドライブ装置１に設けられた録音キー（図示しない）に対して所定の操作が行われ、ディスクドライブ装置１に挿入されたディスク９０への録音が指示される。なお、録音の指示は、ディスクドライブ装置１に設けられた録音キーから指示されるのに限らず、例えばディスクドライブ装置１と接続されたパーソナルコンピュータ１００からディスクドライブ装置１に対して行ってもよい。
【０３１９】
ディスクドライブ装置１に対して録音が指示されると、処理は次のステップＳ３０４に移行され、スイッチ５０により設定された本体の動作モードが次世代ＭＤ１システムおよび現行ＭＤシステムの何れに設定されているかが判断される。若し、スイッチ５０により、ディスクドライブ装置１の動作モードが現行ＭＤシステムに設定されていると判断されれば、処理はステップＳ３０６に移行され、ディスク９０に対して、現行ＭＤシステムによる録音処理が開始される。
【０３２０】
一方、ステップＳ３０４で、スイッチ５０により、ディスクドライブ装置１の動作モードが次世代ＭＤ１システムに設定されていると判断されれば、処理はステップＳ３０５に移行される。ステップＳ３０５では、図１８を用いて既に説明した処理に基づき、ディスク９０に対して次世代ＭＤ１システムによるフォーマットが行われる。そして、処理はステップＳ３０６に移行され、次世代ＭＤ１システムによるフォーマットがなされたディスク９０に対して、録音処理が行われる。
【０３２１】
次に、ディスク９０にオーディオデータを記録する際のディスクドライブ装置１の一例の動作について、図５８のフローチャートを用いて説明する。この場合には、ディスクドライブ装置１本体の動作モードとディスク９０の種別とが一致しているか否かで処理が異なる。なお、ディスク９０の種別とは、当該ディスク９０に対して次世代ＭＤ１システムによるフォーマットがなされているか否かに基づく。
【０３２２】
最初のステップＳ２１０で、ディスク９０がディスクドライブ装置１に装着される。ディスク９０が装着されると、ステップＳ２１１で、ディスク９０のリードイン領域に続けてＵ−ＴＯＣが読み込まれる。
【０３２３】
読み込まれたＵ−ＴＯＣの情報に基づき、次のステップＳ２１２で、装着されたディスク９０の種別、すなわち、次世代ＭＤ１システムおよび現行ＭＤシステムの何れのフォーマットのディスクであるかが判別される。例えば、Ｕ−ＴＯＣにＦＡＴの情報が書き込まれているかどうかによって、この判別を行うことができる。また、Ｕ−ＴＯＣにアラートトラックの開始位置の情報が書き込まれているか否かで、この判別を行ってもよい。
【０３２４】
ステップＳ２１３では、ステップＳ２１２により判別されたディスク種別を示す情報がディスプレイ５１に表示される。さらに、ステップＳ２１４では、Ｕ−ＴＯＣから読み取られた情報に基づき、装着されたディスク９０の状態がディスプレイ５１に表示される。例えば、当該ディスク９０がブランクディスクであるか否か、当該ディスク９０がブランクディスクでない場合には、ディスクネームやトラックネームの情報が表示される。そして、ステップＳ２１５で、ディスク９０の回転が停止される。
【０３２５】
次のステップＳ２１６では、ステップＳ２１２で判別されたディスク種別と、スイッチ５０により設定された本体の動作モードとが一致しているか否かが判断される。若し、一致していれば、処理はステップＳ２１７に移行する。
【０３２６】
すなわち、スイッチ５０による設定が現行ＭＤシステムとされ、且つ、ディスク９０が現行ＭＤシステムによるディスクであるか、または、スイッチ５０による設定が次世代ＭＤ１システムとされ、且つ、ディスク９０が次世代ＭＤ１システムによるフォーマットがなされたディスクであれば、処理はステップＳ２１７に移行される。
【０３２７】
ステップＳ２１７では、当該ディスク９０に対するオーディオデータの記録や当該ディスク９０からのオーディオデータの再生が可能な状態とされる。勿論、Ｕ−ＴＯＣをエディットするような操作も、可能である。
【０３２８】
このとき、上述したステップＳ２１２によるディスク種別の判別結果に基づき、システムコントローラ９によりメディアドライブ部２が所定に制御され、例えばセレクタ２６で、判別されたディスク種別の変調方式に対応した信号経路が選択される。これにより、次世代ＭＤ１システムと現行ＭＤシステムとで異なる復調方式の再生フォーマットを自動的に切り換えて、オーディオデータを再生することが可能とされる。次世代ＭＤ１システムと現行ＭＤシステムとで異なるファイルシステムの切り換えも、ディスク種別の判別結果に基づくシステムコントローラ９の制御により、同様にして行われる。
【０３２９】
一方、上述のステップＳ２１６で、ステップＳ２１２で判別されたディスク種別と、スイッチ５０により設定された本体の動作モードとが一致していないと判断されれば、処理はステップＳ２１９に移行される。
【０３３０】
すなわち、スイッチ５０による設定が現行ＭＤシステムで、ディスク９０が次世代ＭＤ１システムによるフォーマットがなされたディスクであるか、または、スイッチ５０による設定が次世代ＭＤ１システムで、ディスク９０が現行ＭＤシステムによるディスクであれば、処理はステップＳ２１９に移行される。
【０３３１】
ステップＳ２１９では、ユーザのディスク９０に対する操作が判断される。若し、ユーザがディスク９０に記録されたオーディオデータを再生（ＰＢ）する操作を行った場合、処理はステップＳ２２０に移行される。ステップＳ２２０では、ユーザの操作に従い、ディスク９０に記録されたオーディオデータが再生される。
【０３３２】
このように、ディスク種別と、スイッチ５０により設定された本体の動作モードとが一致していなくとも、ディスク９０に記録されたオーディオデータの再生は、スイッチ５０の設定に関わらず、可能とされる。
【０３３３】
すなわち、上述のステップＳ２１２で判定されたディスク種別に基づき、システムコントローラ９によりによりメディアドライブ部２が所定に制御され、例えばセレクタ２６で、判別されたディスク種別の変調方式に対応した信号経路が選択される。これにより、次世代ＭＤ１システムと現行ＭＤシステムとで異なる復調方式の再生フォーマットを自動的に切り換えて、オーディオデータを再生することが可能とされる。次世代ＭＤ１システムと現行ＭＤシステムとで異なるファイルシステムの切り換えも、ディスク種別の判別結果に基づくシステムコントローラ９の制御により、同様にして行われる。
【０３３４】
一方、ステップＳ２１９で、ユーザの操作が、ディスク９０に対するオーディオデータの記録（ＲＥＣ）や、記録されたオーディオデータの消去、編集などを行うもの（ＥＤＩＴ）であれば、処理はステップＳ２１８に移行される。ステップＳ２１８では、ディスク９０の種別と本体の動作モードとが一致していない旨がディスプレイ５１に表示される。また、ユーザの操作が記録である場合には、記録できない旨が表示され、編集であれば、編集できない旨がそれぞれ表示される。
【０３３５】
なお、上述のステップＳ２１９においても、再生中の編集操作としてＵ−ＴＯＣを書き換えるような操作を行った場合には、ディスク９０の種別と本体の動作モードとが一致していない旨と、編集できない旨がディスプレイ５１にそれぞれ表示される。
【０３３６】
このように、ディスク種別と、スイッチ５０により設定された本体の動作モードとが一致していない場合、ディスク９０に記録された情報を変更するような操作は、行えないようにされる。
【０３３７】
次に、ディスク９０のフォーマット変換について説明する。次世代ＭＤ１システムによるフォーマットを現行ＭＤシステムによるフォーマットに変更することや、現行ＭＤシステムによるフォーマットを次世代ＭＤ１システムによるフォーマットに変更することが可能である。
【０３３８】
図５９は、ディスク９０のフォーマットを、次世代ＭＤ１システムによるフォーマットから現行ＭＤシステムによるフォーマットに変更する一例の処理を示すフローチャートである。なお、ここでは、スイッチ５０は、次世代ＭＤ１システムによる動作モードに予め設定されているものとする。
【０３３９】
最初のステップＳ２３０で、ディスク９０がディスクドライブ装置１に装着される。ディスク９０が装着されると、ステップＳ２３１で、ディスク９０のリードイン領域に続けてＵ−ＴＯＣが読み込まれ、装着されたディスク９０が次世代ＭＤ１システムによるフォーマットがなされたディスクであるとされる（ステップＳ２３２）。そして、ステップＳ２３３で、ディスク９０の回転が停止される。
【０３４０】
次のステップＳ２３４では、ディスク９０にＦＡＴ管理されて記録されているデータが全て削除される。例えば、ユーザにより、ディスク９０にＦＡＴ管理の下に記録されているデータを編集（ＥＤＩＴ）する操作がなされ、さらに、編集操作の中から、全データ削除（ＡＬＬ　ＥＲＡＳＥ）が選択される。ステップＳ２３４では、ディスク９０に記録されているデータを全て削除することを、ユーザに確認させるような表示をディスプレイ５１に対して行うと、より好ましい。
【０３４１】
ユーザの操作に従い、ディスク９０にＦＡＴ管理の下に記録されたデータが全て削除されると、ステップＳ２３５で、装着されたディスク９０がブランクディスクになった旨がディスプレイ５１に表示される。
【０３４２】
処理は次のステップＳ２３６に移行され、ユーザにより、本体の動作モードを現行ＭＤシステムの動作モードとするように、スイッチ５０が操作される。すると、次のステップＳ２３７で、装着されているディスク９０のＵ−ＴＯＣが読み込まれ、当該ディスクが次世代ＭＤ１システムによるフォーマットがなされたディスクであることが識別される（ステップＳ２３８）。
【０３４３】
次のステップＳ２３９では、ディスプレイ５１に対して、装着されているディスク９０が次世代ＭＤ１システムのブランクディスクである旨が表示され、次に、ユーザに対して次世代ＭＤ１システムによるフォーマットの解除を行うかどうかを確認する表示がなされる。次世代ＭＤ１システムによるフォーマット解除とは、すなわち、当該ディスク９０のフォーマットを次世代ＭＤ１システムによるフォーマットから、現行ＭＤシステムによるフォーマットに変更することである。
【０３４４】
若し、ユーザの操作に基づきフォーマット解除を行うことが指示されたら、処理はステップＳ２４０に移行され、装着されているディスク９０の、次世代ＭＤ１システムによるフォーマットが解除される。例えばＵ−ＴＯＣに記録されているＦＡＴの情報と、アラートトラックとを削除することで、フォーマットが解除される。ここで、ＦＡＴ情報を削除せずに、アラートトラックだけを削除することで、次世代ＭＤ１システムのフォーマットが解除されたとしてもよい。
【０３４５】
一方、上述のステップＳ２３９において、ユーザの操作に基づきフォーマットを解除しないと指示されたら、処理はステップＳ２４１に移行される。ステップＳ２４１では、本体の動作モードを、次世代ＭＤ１システムによる動作モードに変更するようにスイッチ５０を設定することを促す表示がディスプレイ５１に対して表示される。
【０３４６】
この表示から所定時間内に、本体の動作モードを次世代ＭＤ１システムによる動作モードにするように、ユーザによりスイッチ５０が操作されれば（ステップＳ２４２）、一連の処理が終了され、装着されているディスク９０は、次世代ＭＤ１システムによるフォーマットがなされたブランクディスクとして使用可能とされる（ステップＳ２４３）。表示から所定時間内にこのスイッチ５０の設定が行われない場合は、タイムアウトしたとされ、処理はステップＳ２３９に戻される。
【０３４７】
なお、現行ＭＤシステムのフォーマットから次世代ＭＤ１システムのフォーマットに変更する処理は、次のように行われる。スイッチ５０により本体モードを現行ＭＤシステムの動作モードに設定し、現行ＭＤシステムによるフォーマットのディスク９０に記録されたオーディオデータを全て削除してから、図１８を用いて上述した方法により、当該ディスク９０を次世代ＭＤ１システムによりフォーマットする。
【０３４８】
【発明の効果】
以上説明したように、この発明は、ディスクに記録されたオーディオデータをムーブおよびチェックアウトする際に、ディスクに記録されたオーディオデータをチェックアウト先の記録媒体にコピーすると共に、チェックアウト可能回数を規定回数から１減じた値に設定するようにし、チェックアウトの途中の経過を省略して結果だけが実現されるようにしている。そのため、ユーザの単一の指示によりチェックアウト及びチェックインの処理が完了され、チェックアウトにおけるユーザの手間が削減される効果がある。
【０３４９】
また、チェックアウト可能回数がチェックアウトの途中の経過が行われた場合の値に設定されるため、著作権も保護されるという効果がある。
【０３５０】
さらに、オーディオデータがムーブ先に記録されると共にムーブ元のディスクにも存在するため、ユーザの違和感がないという効果がある。
【図面の簡単な説明】
【図１】次世代ＭＤ１システムの仕様のディスクの説明に用いる図である。
【図２】次世代ＭＤ１システムの仕様のディスクの記録領域の説明に用いる図である。
【図３】次世代ＭＤ２システムの仕様のディスクの説明に用いる図である。
【図４】次世代ＭＤ２システムの仕様のディスクの記録領域の説明に用いる図である。
【図５】次世代ＭＤ１および次世代ＭＤ２のエラー訂正符号化処理の説明に用いる図である。
【図６】次世代ＭＤ１および次世代ＭＤ２のエラー訂正符号化処理の説明に用いる図である。
【図７】次世代ＭＤ１および次世代ＭＤ２のエラー訂正符号化処理の説明に用いる図である。
【図８】ウォブルを用いたアドレス信号の生成の説明に用いる斜視図である。
【図９】現行のＭＤシステムおよび次世代ＭＤ１システムのＡＤＩＰ信号の説明に用いる図である。
【図１０】現行のＭＤシステムおよび次世代ＭＤ１システムのＡＤＩＰ信号の説明に用いる図である。
【図１１】次世代ＭＤ２システムのＡＤＩＰ信号の説明に用いる図である。
【図１２】次世代ＭＤ２システムのＡＤＩＰ信号の説明に用いる図である。
【図１３】現行のＭＤシステムおよび次世代ＭＤ１システムでのＡＤＩＰ信号とフレームとの関係を示す図である。
【図１４】次世代ＭＤ１システムでのＡＤＩＰ信号とフレームとの関係を示す図である。
【図１５】次世代ＭＤ２システムでのコントロール信号の説明に用いる図である。
【図１６】ディスクドライブ装置のブロック図である。
【図１７】メディアドライブ部の構成を示すブロック図である。
【図１８】次世代ＭＤ１によるディスクの一例の初期化処理を示すフローチャートである。
【図１９】次世代ＭＤ２によるディスクの一例の初期化処理を示すフローチャートである。
【図２０】シグナルレコーディングビットマップの説明に用いる図である。
【図２１】ＦＡＴセクタの読み出し処理を示すフローチャートである。
【図２２】ＦＡＴセクタの書き込み処理を示すフローチャートである。
【図２３】単体でのＦＡＴセクタの読み出し処理を示すフローチャートである。
【図２４】単体でのＦＡＴセクタの書き込み処理を示すフローチャートである。
【図２５】シグナルレコーディングビットマップの作成の説明に用いるフローチャートである。
【図２６】シグナルレコーディングビットマップの作成の説明に用いるフローチャートである。
【図２７】シグナルレコーディングビットマップの作成の説明に用いるフローチャートである。
【図２８】オーディオデータの管理方式の第１の例の説明に用いる図である。
【図２９】オーディオデータの管理方式の第１の例によるオーディオデータファイルの説明に用いる図である。
【図３０】オーディオデータの管理方式の第１の例によるトラックインデックスファイルの説明に用いる図である。
【図３１】オーディオデータの管理方式の第１の例によるプレイオーダテーブルの説明に用いる図である。
【図３２】オーディオデータの管理方式の第１の例によるプログラムドプレイオーダテーブルの説明に用いる図である。
【図３３】オーディオデータの管理方式の第１の例によるグループインフォメーションテーブルの説明に用いる図である。
【図３４】オーディオデータの管理方式の第１の例によるトラックインフォメーションテーブルの説明に用いる図である。
【図３５】オーディオデータの管理方式の第１の例によるパーツインフォメーションテーブルの説明に用いる図である。
【図３６】オーディオデータの管理方式の第１の例によるネームテーブルの説明に用いる図である。
【図３７】オーディオデータの管理方式の第１の例による一例の処理を説明するための図である。
【図３８】ネームテーブルのネームスロットが複数参照可能であることを説明するための図である。
【図３９】オーディオデータの管理方式の第１の例でオーディオデータファイルからパーツを削除する処理の説明に用いる図である。
【図４０】オーディオデータの管理方式の第２の例の説明に用いる図である。
【図４１】オーディオデータの管理方式の第２の例によるオーディオデータファイルの構造を示す図である。
【図４２】オーディオデータの管理方式の第２の例によるトラックインデックスファイルの説明に用いる図である。
【図４３】オーディオデータの管理方式の第２の例によるプレイオーダテーブルの説明に用いる図である。
【図４４】オーディオデータの管理方式の第２の例によるプログラムドプレイオーダテーブルの説明に用いる図である。
【図４５】オーディオデータの管理方式の第２の例によるグループインフォメーションテーブルの説明に用いる図である。
【図４６】オーディオデータの管理方式の第２の例によるトラックインフォメーションテーブルの説明に用いる図である。
【図４７】オーディオデータの管理方式の第２の例によるネームテーブルの説明に用いる図である。
【図４８】オーディオデータの管理方式の第２の例による一例の処理を説明するための図である。
【図４９】オーディオデータの管理方式の第２の例で、インデックスにより１つのファイルのデータが複数のインデックス領域に分けられることを説明するための図である。
【図５０】オーディオデータの管理方式の第２の例で、トラックの連結の説明に用いる図である。
【図５１】オーディオデータの管理方式の第２の例で、別の方法によるトラックの連結の説明に用いる図である。
【図５２】パーソナルコンピュータとディスクドライブ装置とが接続された状態で、書き込むデータの種類により管理権限を移動させることを説明するための図である。
【図５３】オーディオデータの一連のチェックアウトの手順を説明するための図である。
【図５４】ディスクドライブ装置における次世代ＭＤ１システムと現行のＭＤシステムとの共存の様子を概念的に示す略線図である。
【図５５】携帯型に構成されたディスクドライブ装置の一例の外観図である。
【図５６】ディスクのフォーマット時のディスクドライブ装置の一例の動作を示すフローチャートである。
【図５７】ヴァージンディスクであるディスクがディスクドライブ装置に挿入された場合のフォーマット処理の他の例を示すフローチャートである。
【図５８】ディスクにオーディオデータを記録する際のディスクドライブ装置の一例の動作を示すフローチャートである。
【図５９】ディスクのフォーマットを、次世代ＭＤ１システムによるフォーマットから現行ＭＤシステムによるフォーマットに変更する一例の処理を示すフローチャートである。
【符号の説明】
１・・・ディスクドライブ装置、２・・・メディアドライブ部、３・・・メモリ転送コントローラ、４・・・クラスタバッファメモリ、５・・・補助メモリ、６，８・・・ＵＳＢインターフェイス、７・・・ＵＳＢハブ、１０・・・オーディオ処理部、１２・・・ＲＳ−ＬＤＣエンコーダ、１３・・・１−７ｐｐ変調部、１４・・・ＡＣＩＲＣエンコーダ、１５・・・ＥＦＭ変調部、１６・・・セレクタ、１７・・・磁気ヘッドドライバ、１８・・・磁気ヘッド、１９・・・光学ヘッド、２２・・・１−７復調部、２３・・・ＲＳ−ＬＤＣデコーダ、２３・・・ＥＦＭ変調部、２４・・・ＡＣＩＲＣデコーダ、２６・・・セレクタ、３０・・・ＡＤＩＰ復調部、３２，３３・・・アドレスデコーダ、５０・・・スイッチ、５１・・・ディスプレイ、５４・・・蓋部、５５・・・本体部、７０・・・次世代ＭＤ１システム、７１・・・現行ＭＤシステム、９０・・・ディスク、１００・・・パーソナルコンピュータ
【図１】
2004087077.tif 000003
【図２】
2004087077.tif 000004
【図３】
2004087077.tif 000005
【図４】
2004087077.tif 000006
【図５】
2004087077.tif 000007
【図６】
2004087077.tif 000008
【図７】
2004087077.tif 000009
【図８】
2004087077.tif 000010
【図９】
2004087077.tif 000011
【図１０】
2004087077.tif 000012
【図１１】
2004087077.tif 000013
【図１２】
2004087077.tif 000014
【図１３】
2004087077.tif 000015
【図１４】
2004087077.tif 000016
【図１５】
2004087077.tif 000017
【図１６】
2004087077.tif 000018
【図１７】
2004087077.tif 000019
【図１８】
2004087077.tif 000020
【図１９】
2004087077.tif 000021
【図２０】
2004087077.tif 000022
【図２１】
2004087077.tif 000023
【図２２】
2004087077.tif 000024
【図２３】
2004087077.tif 000025
【図２４】
2004087077.tif 000026
【図２５】
2004087077.tif 000027
【図２６】
2004087077.tif 000028
【図２７】
2004087077.tif 000029
【図２８】
2004087077.tif 000030
【図２９】
2004087077.tif 000031
【図３０】
2004087077.tif 000032
【図３１】
2004087077.tif 000033
【図３２】
2004087077.tif 000034
【図３３】
2004087077.tif 000035
【図３４】
2004087077.tif 000036
【図３５】
2004087077.tif 000037
【図３６】
2004087077.tif 000038
【図３７】
2004087077.tif 000039
【図３８】
2004087077.tif 000040
【図３９】
2004087077.tif 000041
【図４０】
2004087077.tif 000042
【図４１】
2004087077.tif 000043
【図４２】
2004087077.tif 000044
【図４３】
2004087077.tif 000045
【図４４】
2004087077.tif 000046
【図４５】
2004087077.tif 000047
【図４６】
2004087077.tif 000048
【図４７】
2004087077.tif 000049
【図４８】
2004087077.tif 000050
【図４９】
2004087077.tif 000051
【図５０】
2004087077.tif 000052
【図５１】
2004087077.tif 000053
【図５２】
2004087077.tif 000054
【図５３】
2004087077.tif 000055
【図５４】
2004087077.tif 000056
【図５５】
2004087077.tif 000057
【図５６】
2004087077.tif 000058
【図５７】
2004087077.tif 000059
【図５８】
2004087077.tif 000060
【図５９】
2004087077.tif 000061